(57)【要約】リモートセンシングの測定キャンペーンを実現するに当たり用いられるリモートセンシング装置(24)の測定形態を改善する方法及びシステムを提供する。１つの方法は、リモートセンシングの測定キャンペーン中にリモートセンシング装置(24)の前回の走査の幾何学的形態構造で取得した測定データに基づいて、この測定キャンペーン中にリモートセンシング装置(24)の走査の幾何学的形態構造を調整するステップを含む。他の方法では、リモートセンシング装置(24)が、複数の走査の幾何学的形態を有する走査の幾何学的形態構造に設定され、第１時間間隔におけるリモートセンシング装置(24)による測定データ集合の取得に続いて、これらの走査の幾何学的形態のうち第１時間間隔における改善された、あるいは最適な走査の幾何学的形態を示す１つの走査の幾何学的形態を選択する。上記の方法を実現するためのリモートセンシング装置(24)は、リモートセンシングシステム(10)の一部を形成し、光ビームの形式のプローブ(30)を複数の異なる視線(36)に沿って放射することができる。リモートセンシング装置(24)は、反射したプローブ(30)を検出するための受信機(34)をさらに具え、あるいはこの受信機に関連する。
2019519777.tif 000002
【特許請求の範囲】
【請求項１】
リモートセンシングにおいて用いられる方法であって、
リモートセンシングの測定キャンペーン中に事前に取得した測定データを受信するステップと、
前記受信した測定データから、リモートセンシング装置の測定形態における調整を決定するステップであって、前記リモートセンシング装置の前記測定形態における前記調整は、前記リモートセンシング装置の走査の幾何学的形態構造の変更を含むステップと、
前記リモートセンシング装置の前記走査の幾何学的形態構造の変更を示す出力を、前記測定キャンペーン中に前記リモートセンシング装置を調整するに当たり用いるために提供するステップと
を含む方法。
【請求項２】
前記測定キャンペーン中に、前記リモートセンシング装置の前記走査の幾何学的形態構造を前記出力に基づいて変更することによって、前記リモートセンシング装置の前記測定形態を調整するステップを含む、請求項１に記載の方法。
【請求項３】
前記リモートセンシングの測定キャンペーン中に事前に取得した測定データが、前記測定キャンペーン中に前記リモートセンシング装置の前回の走査の幾何学的形態構造で取得した測定データを含む、請求項１または２に記載の方法。
【請求項４】
前記リモートセンシングの測定キャンペーン中に事前に取得した測定データが、前記測定キャンペーン中に、他のリモートセンシング装置、あるいは他のセンシング装置または測定装置によって取得した測定データを含む、請求項１または２に記載の方法。
【請求項５】
前記リモートセンシング装置の前記測定形態を調整するステップが、前記リモートセンシング装置の前記走査の幾何学的形態構造を、前記出力に基づいて調整することを含む、請求項２〜５のいずれかに記載の方法。
【請求項６】
前記リモートセンシング装置の前記測定形態を調整するステップが、前記リモートセンシング装置用に選択される走査の幾何学的形態構造を、前記リモートセンシング装置用に事前に定めた複数の幾何学的形態構造から前記出力に基づいて選定することを含む、請求項２〜５のいずれかに記載の方法。
【請求項７】
前記走査の幾何学的形態構造の変更を決定するステップが、前記測定キャンペーン中に事前に取得して受信した前記測定データから関心事の測定値を決定することと、該関心事の測定値から、前記リモートセンシング装置の走査の幾何学的形態構造を決定することとを含み、該決定した走査の幾何学的形態構造は、前記関心事の測定値用に改善された、あるいは最適な走査の幾何学的形態構造を示す、請求項１〜６のいずれかに記載の方法。
【請求項８】
前記リモートセンシング装置の前記測定形態を調整するステップが、前記測定キャンペーン中に、前記リモートセンシング装置の前記走査の幾何学的形態構造を、前記関心事の測定値用に改善された、あるいは最適な走査の幾何学的形態構造に応じて変更することを含む、請求項２に従属する請求項７に記載の方法。
【請求項９】
前記関心事の測定値を出力するステップを含む、請求項７または８に記載の方法。
【請求項１０】
前記測定形態を調整するステップが、
各回の前記測定データの取得後に、前記リモートセンシング装置の前記走査の幾何学的形態構造を変更すること、
選択した回数の前記測定データ取得後に、前記リモートセンシング装置の前記走査の幾何学的形態構造を変更すること、
前記決定した変更が選択した閾値を超えた場合に、前記リモートセンシング装置の前記走査の幾何学的形態構造を変更すること
のうちの１つを含む、請求項１〜９のいずれかに記載の方法。
【請求項１１】
方向追跡動作を含む、請求項１〜１０のいずれかに記載の方法。
【請求項１２】
前記方向追跡動作が円弧形走査の方向追跡動作を含み、該円弧形走査の方向追跡動作は、
前記リモートセンシング装置を第１の走査の幾何学的形態構造に設定するステップであって、該第１の走査の幾何学的形態構造は、前記リモートセンシング装置の利用可能なビーム方向または視線（ＬｏＳ）のうちの、ビーム方向または視線（ＬｏＳ）の第１部分集合を含むステップ、
前記測定キャンペーン中に事前に取得した第１の測定データ集合から関心事の測定値を決定するステップであって、該第１の測定データ集合は、前記測定キャンペーン中に前記リモートセンシング装置によって、前記ビーム方向または視線（ＬｏＳ）の第１部分集合から前記第１の走査の幾何学的形態構造で取得した測定データを含み、あるいは前記測定キャンペーン中に他のリモートセンシング装置、あるいは他のセンシング装置または測定装置によって取得した測定データを含むステップ、
前記第１の測定データ集合から得られた前記関心事の測定値から、前記リモートセンシング装置の走査の幾何学的形態構造を決定するステップであって、該決定した走査の幾何学的形態構造は、前記関心事の測定値用に改善された、あるいは最適なリモートセンシング装置の走査の幾何学的形態構造を示すステップ、
前記リモートセンシング装置の前記走査の前記幾何学的形態構造に加える必要な変更を示す出力を提供するステップ、
のうち少なくとも１つを含む、請求項１１に記載の方法。
【請求項１３】
前記リモートセンシング装置を前記第１の走査の幾何学的形態構造により動作させて、前記第１の測定データ集合を取得するステップを含む、請求項１２に記載の方法。
【請求項１４】
前記出力に基づいて、前記リモートセンシング装置の前記走査の幾何学的形態構造を第２の幾何学的形態構造に変更することによって、前記リモートセンシング装置の前記測定形態を調整するステップであって、該第２の走査の幾何学的形態構造は、前記リモートセンシング装置の利用可能なビーム方向または視線（ＬｏＳ）のうちの、ビーム方向または視線（ＬｏＳ）の第２部分集合を含むステップ、及び
前記第２の走査の幾何学的形態構造により前記リモートセンシング装置を動作させて、第２の測定データ集合を取得するステップ、
のうちの少なくとも１つを含む、請求項１２または１３に記載の方法。
【請求項１５】
前記方向追跡動作が、複合型の走査の幾何学的形態による方向追跡動作を含み、該複合型の走査の幾何学的形態による方向追跡動作は、
前記リモートセンシング装置を第１の走査の幾何学的形態構造に設定するステップであって、該第１の走査の幾何学的形態構造は、第１の単純な走査の幾何学的形態要素及び第２の単純な走査の幾何学的形態要素を含む複合型の走査の幾何学的形態を含むステップ、
前記測定キャンペーン中に事前に取得した第１の測定データ集合から関心事の測定値を決定するステップであって、該第１の測定データ集合は、前記測定キャンペーン中に前記リモートセンシング装置によって前記複合型の走査の幾何学的形態により取得した測定データを含み、あるいは、前記測定キャンペーン中に他のリモートセンシング装置、あるいは他のセンシング装置または測定装置によって取得した測定データを含むステップ、
前記リモートセンシング装置の走査の前記幾何学的形態構造に加える必要な変更を示す出力を提供するステップ、
のうちの少なくとも１つを含む、請求項１２〜１４のいずれかに記載の方法。
【請求項１６】
前記リモートセンシング装置を前記第１の走査の幾何学的形態構造により動作させて、前記第１の測定データ集合を取得するステップを含む、請求項１５に記載の方法。
【請求項１７】
前記第１の単純な走査の幾何学的形態要素の方向を、前記第２の単純な走査の幾何学的形態要素の方向に合わせることによって、前記リモートセンシング装置の前記走査の幾何学的形態構造を第２の走査の幾何学的形態構造に調整するステップ、及び
前記リモートセンシング装置を前記第２の走査の幾何学的形態構造により動作させて、第２の測定データ集合を取得するステップ、
のうちの少なくとも１つを含む、請求項１５または１６に記載の方法。
【請求項１８】
体積空間追跡動作を含む、請求項１〜１７のいずれかに記載の方法。
【請求項１９】
前記体積空間追跡動作が、
前記リモートセンシング装置を第１の走査の幾何学的形態構造に設定するステップであって、該第１の走査の幾何学的形態構造は、前記リモートセンシング装置に対して関心事の体積空間へ向かう方向に関する情報を含むステップ、
前記測定キャンペーン中に事前に取得した第１の測定データ集合から関心事の測定値を決定するステップであって、該第１の測定データ集合は、前記測定キャンペーン中に前記リモートセンシング装置によって該第１の測定データ集合から取得した測定データを含み、あるいは、前記測定キャンペーン中に他のリモートセンシング装置、あるいは他のセンシング装置または測定装置によって取得した測定データを含むステップ、
前記第１の測定データ集合から得られた前記関心事の測定値から、前記リモートセンシング装置の走査の幾何学的形態構造を決定するステップであって、該決定した走査の幾何学的形態構造は、前記関心事の測定値用に改善された、あるいは最適な走査の幾何学的形態構造を示すステップ、
前記リモートセンシング装置の前記走査の幾何学的形態構造に加える必要な変更を示す出力を提供するステップ、
のうちの少なくとも１つを含む、請求項１８に記載の方法。
【請求項２０】
前記リモートセンシング装置を前記第１の走査の幾何学的形態構造により動作させて、第１の測定データ集合を取得するステップを含み、該第１の走査の幾何学的形態構造は、前記リモートセンシング装置に対して前記関心事の体積空間へ向かう方向に関する情報を含む、請求項１９に記載の方法。
【請求項２１】
前記リモートセンシング装置に対して前記関心事の体積空間へ向かう方向を示すデータに基づいて、前記リモートセンシング装置の前記走査の幾何学的形態構造を、前記第１の走査の幾何学的形態構造から第２の走査の幾何学的形態構造に調整するステップ、及び
前記リモートセンシング装置を前記第２の走査の幾何学的形態構造により動作させて、第２の測定データ集合を取得するステップ、
のうちの少なくとも１つを含む、請求項１９または２０に記載の方法。
【請求項２２】
収束型の走査の幾何学的形態による動作を含む、請求項１〜２１のいずれかに記載の方法。
【請求項２３】
前記収束型の走査の幾何学的形態による動作は、
前記リモートセンシング装置を第１の走査の幾何学的形態構造に設定するステップであって、該第１の走査の幾何学的形態構造は、少なくとも１つの他のリモートセンシング装置のプローブ体積空間と一致するように設定されたプローブ体積空間を含むステップ、
前記測定キャンペーン中に事前に取得した第１の測定データ集合から関心事の測定値を決定するステップであって、該第１の測定データ集合は、前記測定キャンペーン中に前記リモートセンシング装置によって該第１の測定データ集合から取得した測定データを含み、あるいは、前記測定キャンペーン中に他のリモートセンシング装置、あるいは他のセンシング装置または測定装置によって取得した測定データを含むステップ、
前記第１の測定データ集合から得られた前記関心事の測定値から、前記リモートセンシング装置の走査の幾何学的形態構造を決定するステップであって、該決定した走査の幾何学的形態構造は、前記関心事の測定値用に改善された、あるいは最適な走査の幾何学的形態構造を示すステップ、
前記リモートセンシング装置の前記走査の幾何学的形態構造に加える必要な変更を示す出力を提供するステップ、
のうちの少なくとも１つを含む、請求項２２に記載の方法。
【請求項２４】
前記リモートセンシング装置を前記第１の走査の幾何学的形態構造により動作させて、前記第１のデータ集合を取得するステップを含む、請求項２３に記載の方法。
【請求項２５】
前記第１の測定データ集合に基づいて前記リモートセンシング装置の前記走査の幾何学的形態構造を調整して、前記リモートセンシング装置のプローブ体積空間と、少なくとも１つの他のリモートセンシング装置のプローブ体積空間との一致を維持するステップ、及び
前記リモートセンシング装置を第２の走査の幾何学的形態構造により動作させて、第２の測定データ集合を取得するステップ、
のうちの少なくとも１つを含む、請求項２３または２４に記載の方法。
【請求項２６】
前記リモートセンシング装置の前記走査の幾何学的形態構造が、走査の幾何学的形態の情報を含み、該走査の幾何学的形態の情報は、
位置情報、
測定体積空間内のプローブ体積空間の位置に関する情報、
測定体積空間内のプローブ体積空間の分布に関する情報、
プローブ信号が放射される方向または視線に対するプローブ体積空間の向きに関する情報、
前記プローブ信号が検出される方向に対するプローブ体積空間の向きに関する情報、
前記プローブ信号が検出される方向に対するプローブ体積空間のアジマス角に関する情報、
プローブ体積空間の仰角に関する情報、
のうちの少なくとも１つを含む、請求項１〜２５のいずれかに記載の方法。
【請求項２７】
前記走査の幾何学的形態構造が、走査の幾何学的形態の情報を含み、該走査の幾何学的形態の情報は、
タイミング情報、
プローブが放射された時刻に関する情報、
該プローブが調査中の流体と相互作用した時刻に関する情報、
該プローブが検出された時刻に関する情報、
のうちの少なくとも１つを含む、請求項１〜２６のいずれかに記載の方法。
【請求項２８】
前記走査の幾何学的形態構造を、走査の幾何学的形態のルックアップ・テーブルから選択する、請求項１〜２７のいずれかに記載の方法。
【請求項２９】
前記走査の幾何学的形態構造を、アルゴリズムを用いて計算する、請求項１〜２８のいずれかに記載の方法。
【請求項３０】
前記走査の幾何学的形態構造が、単純な走査の幾何学的形態を含む、請求項１〜２９のいずれかに記載の方法。
【請求項３１】
前記単純な走査の幾何学的形態が、
距離高度指示（ＲＨＩ）、
平面図表示（ＰＰＩ）、
速度アジマス表示（ＶＡＤ）、
円弧形走査、
のうちの少なくとも１つを含む、請求項３０に記載の方法。
【請求項３２】
前記リモートセンシング装置の前記走査の幾何学的形態が、複合的な走査の幾何学的形態を含む、請求項１〜３１のいずれかに記載の方法。
【請求項３３】
前記リモートセンシング装置の前記走査の幾何学的形態が、複合型の走査の幾何学的形態を含む、請求項１〜３２のいずれかに記載の方法。
【請求項３４】
前記測定データが流体データを含む、請求項１〜３３のいずれかに記載の方法。
【請求項３５】
前記測定データが、流体速度データ、流速データ、流体の方向データ、流体の乱流データ、流体の組成データ、のうちの少なくとも１つを含む、請求項３４に記載の方法。
【請求項３６】
リモートセンシングにおいて用いられる方法であって、
該リモートセンシングの測定キャンペーン中に、該リモートセンシングの該測定キャンペーンを実現するに当たり用いるリモートセンシング装置の測定形態を調整するステップを含み、
前記リモートセンシング装置の前記測定形態の前記調整は、前記測定キャンペーン中に事前に取得した測定データに基づいて、前記リモートセンシング装置の走査の幾何学的形態構造を変更することを含む方法。
【請求項３７】
リモートセンシングにおいて用いられるシステムであって、
リモートセンシング装置の測定キャンペーン中に事前に取得した測定データを受信するように構成されたコントローラを具え、該コントローラは、前記受信した測定データから、前記リモートセンシング装置の測定形態における調整を決定するように構成され、前記リモートセンシング装置の前記測定形態における前記調整は、前記リモートセンシング装置の走査の幾何学的形態構造の変更を含み、
前記コントローラは、前記測定キャンペーン中に前記リモートセンシング装置を調整するに当たり用いる、前記リモートセンシング装置の前記走査の幾何学的形態構造の変更を示す出力を提供するように構成されているシステム。
【請求項３８】
リモートセンシング装置を具えている、請求項３７に記載のシステム。
【請求項３９】
前記システムが、前記出力に基づいて、前記測定キャンペーン中に前記リモートセンシング装置の前記測定形態を調整するように構成されている、請求項３７または３８に記載のシステム。
【請求項４０】
前記システムが、前記測定キャンペーン中に前記リモートセンシング装置によって事前に取得した測定データに基づいて、前記リモートセンシング装置の前記測定形態を調整するように構成されている、請求項３９に記載のシステム。
【請求項４１】
前記システムが、前記リモートセンシング装置の測定キャンペーン中に、他のリモートセンシング装置、あるいは他のセンシング装置または測定装置によって事前に取得した測定データに基づいて、前記リモートセンシング装置の前記測定形態を調整するように構成されている、請求項３９に記載のシステム。
【請求項４２】
前記システムが、前記リモートセンシング装置の前記走査の幾何学的形態構造を書き換えることによって、前記リモートセンシング装置の前記測定形態を調整するように構成されている、請求項３９〜４１に記載のシステム。
【請求項４３】
前記コントローラが、前記リモートセンシング装置用の走査の幾何学的形態構造を、前記リモートセンシング装置用に事前に定めた複数の幾何学的形態構造から選択することによって、前記リモートセンシング装置の前記測定形態を調整するように構成されている、請求項３９〜４１のいずれかに記載のシステム。
【請求項４４】
前記リモートセンシング装置がライダー・センシング装置を具えている、請求項３８〜４３のいずれかに記載のシステム。
【請求項４５】
前記リモートセンシング装置がソーダー・センシング装置を具えている、請求項３８〜４３のいずれかに記載のシステム。
【請求項４６】
前記リモートセンシング装置が音響ドップラー流向流速計（ＡＤＣＰ）を具えている、請求項３８〜４３のいずれかに記載のシステム。
【請求項４７】
１つ以上のエネルギー受信装置を具えている、請求項３７〜４６のいずれかに記載のシステム。
【請求項４８】
前記リモートセンシング装置が風力エネルギー受信装置を具えている、請求項４７に記載のシステム。
【請求項４９】
前記エネルギー受信装置が潮汐エネルギー受信装置を具えている、請求項４８に記載のシステム。
【請求項５０】
制御システムを具えている、請求項３７〜４９のいずれかに記載のシステム。
【請求項５１】
前記制御システムが、前記エネルギー受信装置の位置、例えばヨー角を調整するように構成されている、請求項５０に記載のシステム。
【請求項５２】
リモートセンシングにおいて用いられる方法であって、
リモートセンシング装置が第１時間間隔において第１の走査の幾何学的形態構造で取得した測定データを受信するステップであって、該第１の走査の幾何学的形態構造は複数の走査の幾何学的形態を含むステップと、
前記受信した測定データから、前記複数の走査の幾何学的形態のうちの１つを決定するステップであって、該決定した走査の幾何学的形態は、前記第１時間間隔における改善された、あるいは最適な走査の幾何学的形態を示すステップと、
前記第１時間間隔における改善された、あるいは最適な走査の幾何学的形態による関心事の測定値を示す出力を提供するステップと
を含む方法。
【請求項５３】
前記取得した測定データ全体にわたる複数のパスを含み、第１の該パスは、複合型の走査の幾何学的形態の所定の反復回における最適な走査の幾何学的形態の選択に関連する一般的条件を決定するためのパスであり、第２の該パスは、前記取得した測定データから関心事の測定値を導出するためのパスである、請求項５２に記載の方法。
【請求項５４】
前記第１の走査の幾何学的形態構造における前記複数の走査の幾何学的形態が、複数の区別される有効な個別の走査の幾何学的形態を含み、該複数の走査の幾何学的形態がまとまって複合型の走査の幾何学的形態を形成する、請求項５２または５３に記載の方法。
【請求項５５】
リモートセンシング装置を用意して、該リモートセンシング装置を前記第１の走査の幾何学的形態構造に設定するステップ、
前記第１時間間隔において、前記リモートセンシング装置を前記第１の走査の幾何学的形態構造で動作させて、前記複数の走査の幾何学的形態の各々についての第１の前記測定データ集合を取得するステップ、
前記取得した第１の測定データ集合から、選択した前記最適な走査の幾何学的形態による、前記第１時間間隔における関心事の測定値を決定するステップ、
第２時間間隔において、前記リモートセンシング装置を動作させて、前記複数の走査の幾何学的形態の各々についての第２の測定データ集合を取得するステップ、
前記取得した第２の測定データ集合から、前記複数の走査の幾何学的形態のうちの１つを決定するステップであって、該決定した走査の幾何学的形態は、前記第２時間間隔における改善された、あるいは最適な走査の幾何学的形態を示すステップ、
のうちの少なくとも１つを含む、請求項５４に記載の方法。
【請求項５６】
前記取得した第２の測定データ集合の全体にわたる複数のパスを含み、第１の該パスは、前記改善された、あるいは最適な走査の幾何学的形態の選択に関連する一般的条件を決定するパスであり、第２の該パスは、前記取得した第２の測定データ集合から関心事の測定値を導出するパスである、請求項５５に記載の方法。
【請求項５７】
前記第１の走査の幾何学的形態構造が、速度アジマス表示走査（ＶＡＤ走査）の動作を含む、請求項５２〜５６のいずれかに記載の方法。
【請求項５８】
前記ＶＡＤ走査の動作が、複数のプローブ体積空間を含む過剰に決定されたＶＡＤを含むか規定し、該プローブ体積空間の数は、ＶＡＤ走査を実現するために最小限必要な数よりも大きい、請求項５７に記載の方法。
【請求項５９】
前記リモートセンシング装置の前記走査の幾何学的形態構造が走査の幾何学的形態情報を含み、該走査の幾何学的形態情報は、
位置情報、
測定体積空間内のプローブ体積空間の位置に関する情報、
測定体積空間内のプローブ体積空間の分布に関する情報、
プローブ信号が放射される方向または視線に対するプローブ体積空間の向きに関する情報、
前記プローブ信号が検出される方向に対するプローブ体積空間の向きに関する情報、
前記プローブ信号が検出される方向に対するプローブ体積空間のアジマス角に関する情報、
プローブ体積空間の仰角に関する情報、
のうちの少なくとも１つを含む、請求項５２〜５８のいずれかに記載の方法。
【請求項６０】
前記走査の幾何学的形態構造が走査の幾何学的形態情報を含み、該走査の幾何学的形態情報は、
タイミング情報、
プローブが放射される時刻に関する情報、
前記プローブが調査中の流体と相互作用する時刻に関する情報、
前記プローブが検出された時刻に関する情報、
のうちの少なくとも１つを含む、請求項５２〜５９のいずれかに記載の方法。
【請求項６１】
前記走査の幾何学的形態構造を、走査の幾何学的形態構造のルックアップ・テーブルから選択する、請求項５２〜６０のいずれかに記載の方法。
【請求項６２】
前記走査の幾何学的形態構造を、アルゴリズムを用いて計算する、請求項５２〜６０のいずれかに記載の方法。
【請求項６３】
前記リモートセンシング装置の前記走査の幾何学的形態構造が、単純な走査の幾何学的形態要素または走査の幾何学的形態構成を含む、請求項５２〜６２のいずれかに記載の方法。
【請求項６４】
前記単純な走査の幾何学的形態要素が、
距離高度指示（ＲＨＩ）、
平面図表示（ＰＰＩ）、
速度アジマス表示（ＶＡＤ）、及び
円弧形走査、
のうちの１つを含む、請求項６３に記載の方法。
【請求項６５】
前記リモートセンシング装置の前記走査の幾何学的形態構造が、複合的な走査の幾何学的形態要素または走査の幾何学的形態構成を含む、請求項５２〜６２のいずれかに記載の方法。
【請求項６６】
前記リモートセンシング装置の前記走査の幾何学的形態構造が、複合型の走査の幾何学的形態要素または走査の幾何学的形態構成を含む、請求項５２〜６２のいずれかに記載の方法。
【請求項６７】
前記測定データが流体データを含む、請求項１〜３６、５２〜６６のいずれかに記載の方法。
【請求項６８】
前記測定データが、流体速度データ、流速データ、流体の方向データ、流体の乱流データ、流体の組成データ、のうちの少なくとも１つを含む、請求項６７に記載の方法。
【請求項６９】
リモートセンシングにおいて用いられるシステムであって、
第１時間間隔においてリモートセンシング装置によって第１の走査の幾何学的形態構造で取得した測定データ集合から、複数の走査の幾何学的形態のうちの１つを決定するように構成されたコントローラを具え、該決定した走査の幾何学的形態は、前記第１時間間隔における改善された、あるいは最適な走査の幾何学的形態を示すシステム。
【請求項７０】
リモートセンシングの測定キャンペーンを実現するように動作可能なリモートセンシング装置を具えている、請求項６９に記載のシステム。
【請求項７１】
請求項１〜３６、５２〜６８のいずれかに記載の方法、または請求項３７〜５１、６９、７０のいずれかに記載のシステムを実現するように構成された処理システム。
【請求項７２】
少なくとも１つのプロセッサを具えている、請求項７１に記載の処理システム。
【請求項７３】
少なくとも１つのデータ記憶装置またはメモリを具え、あるいは少なくとも１つのデータ記憶装置またはメモリにアクセスするように構成されている、請求項７１または７２に記載の処理システム。
【請求項７４】
前記データ記憶装置またはメモリが、前記少なくとも１つのプロセッサの動作を記述した動作命令またはプログラムを含み、あるいは該動作命令またはプログラムを受信するように構成されている、請求項７３に記載の処理システム。
【請求項７５】
前記少なくとも１つのプロセッサが、前記動作命令またはプログラムを処理及び実行するように構成されている、請求項７２〜７４のいずれかに記載の処理システム。
【請求項７６】
前記処理システムが、１つまたは複数の処理装置を具えている、請求項７１〜７５のいずれかに記載の処理システム。
【請求項７７】
前記処理装置が、少なくともプロセッサを具え、任意で、メモリまたはデータ記憶装置、及び／または、ネットワークまたはインタフェース・モジュールを具えている、請求項７６に記載の処理システム。
【請求項７８】
適切な処理システムによって処理されると、請求項１〜３６、５２〜６８のいずれかに記載の方法、または請求項３７〜５１、６９、７０のいずれかに記載のシステムを実現するように当該処理システムを設定するように構成されたコンピュータプログラム製品。
【発明の詳細な説明】
【技術分野】
【０００１】
本発明は、リモートセンシング（遠隔探査）において用いられる方法及びシステムに関するものである。より具体的には、本発明の好適例は、エネルギー受信装置に関連するリモートセンシング用途において用いられる方法及びシステムに関するものであるが、それだけではない。
【背景技術】
【０００２】
リモートセンシングは、距離をおいた物体または領域に関係するデータの取得を含み、調査中の流体から流体特性の測定値を取得するために用いることができる。これらの流体特性は、例えば、所定の測定体積空間内の風況（風の状況）、あるいは他の大気及び／または環境パラメータとすることができるが、それだけではない。リモートセンシング動作を実行するために用いられるリモートセンシング装置（ＲＳＤ：remote sensing device）は、信号「プローブ」を放射することによって動作し、この信号は調査中の流体と相互作用して、この流体によって変化する。次に、変化したプローブを、上記ＲＳＤ、または他のＲＳＤ、あるいは他の受信機によって検出し分析して、上記相互作用が発生した領域（「プローブ体積空間」）内の流体の１つ以上の特性を測定する。次に、調査中の流体の所望の特性を、プローブが変化した様子から測定する。
【０００３】
ＲＳＤは、多数の異なる用途及び環境において用いられ、多数の異なる形をとる。
【０００４】
ＲＳＤは多数の異なる用途において効率的に用いられるが、従来のシステム及び技術に伴う挑戦及び欠点が存在する。例えば、ＲＳＤによって取得される流体データにおける不正確さは、測定キャンペーン（行動）の有効性に対して大きな悪影響を与え得る。例えば、取得したデータがエネルギー受信装置に関連する流体特性に関係する場合には、エネルギー受信装置の効率の悪さ、及びエネルギー受信装置の性能及びエネルギー収量の推定値における不正確さを生じさせ得る。
【発明の概要】
【課題を解決するための手段】
【０００５】
第１の態様によれば、リモートセンシングにおいて用いられる方法が提供され、この方法は：
リモートセンシングの測定キャンペーン中に事前に取得した測定データを受信するステップと；
受信した測定データから、リモートセンシング装置の測定形態における調整を決定するステップであって、リモートセンシング装置の測定形態における調整は、リモートセンシング装置の走査（スキャン）の幾何学的形態構造の変更を含むステップと；
リモートセンシング装置の走査の幾何学的形態構造の変更を示す出力を、上記測定キャンペーン中にリモートセンシング装置を調整するに当たり用いるために提供するステップと
を含む。
【０００６】
上記方法は、リモートセンシングの測定キャンペーンを実現するに当たり用いるリモートセンシング装置の動作を改善する方法を含むことができる。
【０００７】
上記方法は、リモートセンシングの測定キャンペーンを実現するための方法を含むことができる。
【０００８】
上記方法は、上記測定キャンペーン中に、リモートセンシング装置の走査の幾何学的形態構造を上記出力に基づいて変更することによって、リモートセンシング装置の測定形態を調整するステップを含むことができる。
【０００９】
特定の好適例では、上記事前に取得した測定データが、リモートセンシング装置の前回の走査の幾何学的形態構造で取得した測定データを含む。
【００１０】
その代わりに、あるいはそれに加えて、上記事前に取得した測定データは、上記測定キャンペーン中に他のリモートセンシング装置、あるいは他のセンシング装置または測定装置によって取得した測定データを含むことができる。
【００１１】
本発明の好適例は、測定キャンペーン中にリモートセンシング装置の測定形態を能動的に調整することによって、変化する条件下で実現される最適な、あるいは少なくとも改善されたリモートセンシングの測定キャンペーンを可能にすることが有益である。このことは、測定キャンペーン中に、リモートセンシング装置の走査の幾何学的形態構造を、同じ測定キャンペーン中に事前に取得した測定データに基づいて適応させることによって行われ；測定キャンペーン中に単一の走査の幾何学的形態構造しか提供しない従来のＲＳＤとは対照的であり、この単一の走査の幾何学的形態構造は、一般に、特定のリモートセンシング装置のデフォルト設定であり、あるいは測定キャンペーンの最初の目的に基づくものであり、測定キャンペーンを開始する前に作成した一般的条件の映し出しである。本発明の好適例は、測定キャンペーン中に、リモートセンシング装置の設定、特にその走査の幾何学的形態の構造を、測定値を取得する環境及び条件に合うように適応させることができ、こうした環境及び条件は時間と共に大幅に、かつ反復的に変動し得る。これにより、本発明の好適例は、さもなければ従来のシステム及び技術において生じ得る不正確さを軽減または解消し、こうした不正確さは、得られた測定値が目的に適合しないか、あるいは所定の測定キャンペーンの一部分にしか関連しない期間より生じる測定バイアスに起因し、こうした期間は大幅であることが多い。
【００１２】
本発明の特定の好適例は、例えば、それだけではないが、地上及び低空（低高度）の風力エネルギー用途にとって特別な関心事である、大気境界層（ＡＢＬ：Atmospheric Boundary Layer）として知られている大気の下層領域内の風況に関係する、及び／または、潮汐エネルギー用途にとって特別な関心事である水の状態または潮汐条件に関係する測定データの取得の改善を促進することができる。
【００１３】
使用中には、リモートセンシング装置を第１の走査の幾何学的形態構造を有するように設けることができ、上記方法は、測定キャンペーン中に事前に取得した測定データに基づいて、リモートセンシング装置を、第１の走査の幾何学的形態構造から第２の走査の幾何学的形態構造に調整するステップを含むことができる。
【００１４】
上記方法は、測定キャンペーン中に事前に取得した測定データから、リモートセンシング装置の走査の幾何学的形態構造の必要な変更を決定するステップを含むことができる。上記方法は、走査の幾何学的形態構造の必要な変更をリモートセンシング装置に伝達するステップを含むことができる。
【００１５】
一部の好適例では、上記方法は、リモートセンシング装置の走査の幾何学的形態構造を書き換えるステップを含むことができる。上記の、リモートセンシング装置の測定形態を調整するステップは、リモートセンシング装置の走査の幾何学的形態構造を上記出力に基づいて書き換えることを含むことができる。
【００１６】
他の好適例では、上記方法は、リモートセンシング装置用に選択される走査の幾何学的形態構造を、当該リモートセンシング装置用に事前に定めた複数の幾何学的形態構造から前記出力に基づいて選定することを含むことができる。上記の、リモートセンシング装置の測定形態を調整するステップは、リモートセンシング装置用に選択される走査の幾何学的形態構造を、上記出力に基づいて、当該リモートセンシング装置用に事前に定めた複数の幾何学的形態構造から選定することを含むことができる。
【００１７】
特定の好適例では、上記方法は、測定キャンペーン中にリモートセンシング装置によって取得した事前のデータ集合に基づいて、リモートセンシング装置を、第１の走査の幾何学的形態構造から第２の走査の幾何学的形態構造に調整するステップを含むことができる。例えば、上記方法は、測定キャンペーン中に、リモートセンシング装置の第１の走査の幾何学的形態構造での動作によって取得した第１の測定データ集合に基づいて、リモートセンシング装置を第１の走査の幾何学的形態構造から第２の走査の幾何学的形態構造に調整するステップを含むことができる。上記方法は、第１の走査の幾何学的形態構造によりリモートセンシング装置を動作させて、第１の測定データ集合を取得するステップを含むことができる。
【００１８】
上記方法は、取得した第１のデータ集合から関心事の測定値を決定するステップを含むことができる。
【００１９】
上記の、走査の幾何学的形態構造の変更を決定するステップは、測定キャンペーン中に事前に取得して受信した測定データから関心事の測定値を決定することと、関心事の測定値から、リモートセンシング装置の走査の幾何学的形態構造を決定することとを含むことができ、決定した走査の幾何学的形態構造は、関心事の測定値用に改善された、あるいは最適な走査の幾何学的形態構造を示す。
【００２０】
上記の、走査の幾何学的形態構造の変更を決定するステップは、測定キャンペーン中に、リモートセンシング装置の走査の幾何学的形態構造を、上記関心事の測定値用に改善された、あるいは最適な走査の幾何学的形態構造に応じて変更することを含むことができる。
【００２１】
上記方法は、上記関心事の測定値を出力するステップを含むことができる。
【００２２】
上記方法は、リモートセンシング装置を、第２の走査の幾何学的形態構造により動作させて、第２の測定データ集合を取得するステップを含むことができる。
【００２３】
上記方法は、取得した第２の測定データ集合から関心事の測定値を決定するステップを含むことができる。上記方法は、取得した第２のデータ集合から決定した関心事の測定値を出力するステップを含むことができる。
【００２４】
上記の、走査の幾何学的形態構造の能動的調整を反復して一連のデータ集合を取得することができ、各データ集合は、走査の幾何学的形態及び装置の設定の意味で最適化された状況下で得られる。
【００２５】
従って、当該条件に関連して走査の幾何学的形態構造を改善または最適化すべき条件は、測定キャンペーン中に連続して、あるいは間隔をおいて評価することができ、測定値を取得する間に走査の幾何学的形態構造を調整する。
【００２６】
リモートセンシング装置の走査の幾何学的形態構造を調整するステップは、各回のデータ取得後に実行することができる。
【００２７】
リモートセンシング装置の走査の幾何学的形態構造を調整するステップは、選択した回数のデータ取得後に実行することができる。
【００２８】
風況に関係し、かつ選択した閾値を超えるデータから導出したパラメータの値に基づけば、最適な装置の設定を維持するために走査の幾何学的形態の変更が必要であることを、第１の、あるいは前回の走査の幾何学的形態が示す際に、リモートセンシング装置の走査の幾何学的形態構造を調整するステップを実行することができる。
【００２９】
上記の、走査の幾何学的形態構造の調整は多数の形をとることができる。
【００３０】
一部の好適例では、上記方法は方向追跡動作を含むことができる。
【００３１】
この方向追跡動作は、円弧形走査の方向追跡動作を含むことができる。
【００３２】
円弧形走査の方向追跡動作は：
リモートセンシング装置を第１の走査の幾何学的形態構造に設定するステップであって、第１の走査の幾何学的形態構造は、リモートセンシング装置の利用可能なビーム方向または視線（ＬｏＳ：lines of sight）のうちの、ビーム方向または視線（ＬｏＳ）の第１部分集合を含むステップ；
測定キャンペーン中に事前に取得した第１の測定データ集合から関心事の測定値を決定するステップであって、第１の測定データ集合は、測定キャンペーン中にリモートセンシング装置によってビーム方向または視線（ＬｏＳ）の第１部分集合により第１の走査の幾何学的形態構造で取得した測定データを含み、あるいはこの測定キャンペーン中に他のリモートセンシング装置、あるいは他のセンシング装置または測定装置によって取得した測定データを含むステップ；
第１の測定データ集合から得られた関心事の測定値から、リモートセンシング装置の走査の幾何学的形態構造を決定するステップであって、決定した走査の幾何学的形態構造は、関心事の測定値用に改善された、あるいは最適な、リモートセンシング装置の走査の幾何学的形態構造を示すステップ；
リモートセンシング装置の走査の幾何学的形態構造に対する必要な変更を示す出力を提供するステップ；
のうち少なくとも１つを含むことができる。
【００３３】
上記方法は、リモートセンシング装置を第１の走査の幾何学的形態構造により動作させて第１のデータ集合を取得するステップを含むことができる。
【００３４】
上記方法は：
上記出力に基づいて、リモートセンシング装置の走査の幾何学的形態構造を第２の幾何学的形態構造に変更することによって、リモートセンシング装置の測定形態を調整するステップであって、第２の走査の幾何学的形態構造は、りモートセンシング装置の利用可能なビーム方向のうちの、ビーム方向または視線（ＬｏＳ）の第２部分集合を含むステップ；及び
第２の走査の幾何学的形態構造によりリモートセンシング装置を動作させて、第２の測定データ集合を取得するステップ；
のうちの少なくとも１つを含むことができる。
【００３５】
このプロセスは、後続する走査の幾何学的形態の各々を、先行する走査の幾何学的形態を用いて取得したデータ集合を参照して同様な方法で最適化しながら継続することができる。
【００３６】
方向追跡の円弧形走査の動作は、リモートセンシング装置の走査の幾何学的形態構造の最適化を促進することが有益である、というのは、ビーム方向または視線（ＬｏＳ）の最も適切な部分集合が、測定キャンペーン中のデータ取得の所定瞬時において実現されるからであり、このことは直前回の反復の結果の能動的監視に基づく。
【００３７】
上記方向追跡は、方向追跡を複合した走査の幾何学的形態の動作を含むことができる。
【００３８】
方向追跡の円弧形走査の動作は：
リモートセンシング装置を第１の走査の幾何学的形態構造に設定するステップであって、第１の走査の幾何学的形態構造は、第１の単純な走査の幾何学的形態要素及び第２の単純な走査の幾何学的形態要素を含む複合型の走査の幾何学的形態を含むステップ；
測定キャンペーン中に事前に取得した第１の測定データ集合から関心事の測定値を決定するステップであって、第１の測定データ集合は、測定キャンペーン中にリモートセンシング装置によって上記複合型の走査の幾何学的形態により取得した測定データを含み、あるいは、測定キャンペーン中に他のリモートセンシング装置、あるいは他のセンシング装置または測定装置によって取得した測定データを含むステップ；
第１の測定データ集合から得られた関心事の測定値から、リモートセンシング装置の走査の幾何学的形態構造を決定するステップであって、この走査の幾何学的形態構造は、関心事の測定値用に改善された、あるいは最適な走査の幾何学的形態構造を示すステップ；
リモートセンシング装置の走査の幾何学的形態構造に対する必要な変更を示す出力を提供するステップ；
のうちの少なくとも１つを含むことができる。
【００３９】
上記方法は、リモートセンシング装置を第１の走査の幾何学的形態構造により動作させて、第１の測定データ集合を取得するステップを含むことができる。
【００４０】
上記方法は：
第１の単純な走査の幾何学的形態要素の方向を、第２の単純な走査の幾何学的形態要素の方向に合わせることによって、リモートセンシング装置の走査の幾何学的形態構造を第２の走査の幾何学的形態構造に調整するステップ；及び
リモートセンシング装置を第２の走査の幾何学的形態構造により動作させて、第２の測定データ集合を取得するステップ
のうちの少なくとも１つを含むことができる。
【００４１】
第１の単純な走査の幾何学的形態要素は、ウィンドシア（急激な風速、風向の変動）の詳細な特徴付けのために垂直面を調べるための距離高度指示（ＲＨＩ：range height indicator）要素を含むことができる。
【００４２】
第２の単純な走査の幾何学的形態要素は、風向の測定のための円弧形走査要素を含むことができる。
【００４３】
こうした測定及び調整のプロセスは、測定キャンペーンの継続時間中に反復することができる。
【００４４】
この関係では、ＲＨＩ垂直面の方向が、この垂直面全体にわたる仰角内を掃引されるビームのアジマス角を含む。
【００４５】
上記方法は、体積空間追跡動作を含むことができ、あるいは追加的に含むことができる。
【００４６】
この体積空間追跡動作は：
リモートセンシング装置を第１の走査の幾何学的形態構造に設定するステップであって、第１の走査の幾何学的形態構造は、リモートセンシング装置に対して関心事の体積空間へ向かう方向に関する情報を含むステップ；
測定キャンペーン中に事前に取得した第１の測定データ集合から関心事の測定値を決定するステップであって、第１の測定データ集合は、測定キャンペーン中にリモートセンシング装置によって第１の測定データ集合から得られた測定データを含み、あるいは、この測定キャンペーン中に他のリモートセンシング装置、あるいは他のセンシング装置または測定装置によって取得した測定データを含むステップ；
第１の測定データ集合から得られた関心事の測定値から、リモートセンシング装置の走査の幾何学的形態構造を決定するステップであって、この走査の幾何学的形態構造は、関心事の測定値用に改善された、あるいは最適な走査の幾何学的形態構造を示すステップ；
リモートセンシング装置の走査の幾何学的形態構造に加える必要な変更を示す出力を提供するステップ；
のうちの少なくとも１つを含むことができる。
【００４７】
上記方法は、リモートセンシング装置を第１の走査の幾何学的形態構造により動作させて第１の測定データ集合を取得するステップを含むことができ、第１の測定データ集合は、リモートセンシング装置に対して関心事の体積空間へ向かう方向に関する情報を含む。
【００４８】
上記方法は：
リモートセンシング装置に対して関心事の体積空間へ向かう方向を示すデータに基づいて、リモートセンシング装置の走査の幾何学的形態構造を、第１の走査の幾何学的形態構造から第２の走査の幾何学的形態構造に調整するステップ；及び
リモートセンシング装置を第２の走査の幾何学的形態構造により動作させて、第２の測定データ集合を取得するステップ；
のうちの少なくとも１つを含むことができる。
【００４９】
測定と走査の幾何学的形態の調整とを交互させて、最適な装置設定を維持するこうしたプロセスは、測定キャンペーンの継続時間中に反復することができる。
【００５０】
体積空間追跡動作は、例えば、基準フレームに対して固定されていないプラットフォーム上にリモートセンシング装置を搭載する用途において、リモートセンシング装置の走査の幾何学的形態構造の改善または最適化を促進することが有益であり、この基準フレームに対して風速ベクトル成分が表現され、関心事の体積空間はこの基準フレーム内に固定されている。例えば、ライダー（Lidar：light direction and ranging：光による検知と測距）装置のようなリモートセンシング装置は、風力タービンのナセル（nacelle：回転機室）上に配置することができ、風力タービンは基準フレーム内の垂直軸を中心に回転し、基準フレーム内で風速ベクトル成分が表現され、風力タービンの軸が、変化する風向に従うように向きを変える間に、関心事の体積空間は固定されている。ライダー装置の視線は基準のフレーム内に固定され、リモートセンシング装置及びこの装置が搭載されたプラットフォームは、このフレーム内に固定されている。しかし、この基準のフレーム自体は、風速ベクトル成分を表現する基準フレーム内で回転し、関心事となり得る体積空間の位置は固定され、こうした体積空間内でこれらの速度成分（風速ベクトル成分）を測定することになる。一部の用途では、他の基準フレームに対して固定された他の体積空間内で風況を測定するためにリモートセンシング装置を必要とする。例えば、他の風力タービンのローターの手前、あるいは背後で風況を測定するためには、１つのタービンのナセル上に設置されたライダー装置が必要になり得る。装置の基準フレーム内のこうした体積空間の方向は、関心事の体積空間の位置に対する、ライダーを搭載したプラットフォームの向きに依存する。視線は、ＲＳＤ及びこのＲＳＤが搭載されたプラットフォームが固定された基準のフレーム内に固定されている。しかし、この基準のフレーム自体は、関心事の体積空間が固定された基準のフレーム内で回転する。この場合、ＲＳＤに対して関心事の体積空間へ向かう方向を示す信号を処理して走査の幾何学的形態を相応に更新して、視線を関心事の体積空間に向かう方向に再設定すれば、能動的最適化を実現することができる。
【００５１】
一部の好適例では、上記方法は、収束型の走査の幾何学的形態による動作を含むことができ、あるいは追加的に含むことができる。
【００５２】
収束型の走査の幾何学的形態による動作は：
リモートセンシング装置を第１の走査の幾何学的形態構造に設定するステップであって、第１の走査の幾何学的形態構造は、少なくとも１つの他のリモートセンシング装置のプローブ体積空間と一致するように設定されたプローブ体積空間を含むステップ；
測定キャンペーン中に事前に取得した第１の測定データ集合から関心事の測定値を決定するステップであって、第１の測定データ集合は、測定キャンペーン中にリモートセンシング装置によって第１の測定データ集合から取得した測定データを含み、あるいは、この測定キャンペーン中に他のリモートセンシング装置、あるいは他のセンシング装置または測定装置によって取得した測定データを含むステップ；
第１の測定データ集合から得られた関心事の測定値から、リモートセンシング装置の走査の幾何学的形態構造を決定するステップであって、決定した走査の幾何学的形態構造は、関心事の測定値用に改善された、あるいは最適な走査の幾何学的形態構造を示すステップ；
リモートセンシング装置の走査の幾何学的形態構造に加える必要な変更を示す出力を提供するステップ；
のうちの少なくとも１つを含むことができる。
【００５３】
上記方法は、リモートセンシング装置を第１の走査の幾何学的形態構造により動作させて、第１のデータ集合を取得するステップを含むことができる。
【００５４】
上記方法は：
第１の測定データ集合に基づいてリモートセンシング装置の走査の幾何学的形態構造を調整して、リモートセンシング装置のプローブ体積空間と、少なくとも１つの他のリモートセンシング装置のプローブ体積空間との一致を維持するステップ；及び
リモートセンシング装置を第２の走査の幾何学的形態構造により動作させて、第２の測定データ集合を取得するステップ；
のうちの少なくとも１つを含むことができる。
【００５５】
走査の幾何学的形態を収束させる動作は、関心事の位置を追跡して、複数の視線に共通のプローブ体積空間が、関心事の体積空間の位置と一致することを保証するように、リモートセンシング装置の走査の幾何学的形態構造を更新することを可能にすることが有益であり、走査の幾何学的形態をこれら複数の視線に収束させて測定値を取得する。
【００５６】
第１の態様の他の特徴は以下に説明するが、これらの特徴は他のあらゆる態様でも見出すことができることは明らかである。
【００５７】
リモートセンシング装置の走査の幾何学的形態構造は、リモートセンシング装置が放射するプローブ信号の特性を定めることができる。
【００５８】
走査の幾何学的形態構造は、位置情報を含むことができる。
【００５９】
走査の幾何学的形態構造は、測定体積空間内のプローブ体積空間の位置に関する情報を含むことができる。
【００６０】
走査の幾何学的形態構造は、測定体積空間内のプローブ体積空間の分布に関する情報を含むことができる。
【００６１】
走査の幾何学的形態構造は、プローブ信号が放射される方向または視線に対するプローブ体積空間の向きに関する情報を含むことができる。
【００６２】
走査の幾何学的形態構造は、プローブ信号が検出される方向に対するプローブ体積空間の向きに関する情報を含むことができる。
【００６３】
プローブ体積空間の向きに関する情報は、アジマス角及び／または仰角の情報を含むことができる。
【００６４】
走査の幾何学的形態構造は、タイミング情報を含むことができる。
【００６５】
走査の幾何学的形態構造は、プローブが放射された時刻に関する情報を含むことができる。
【００６６】
走査の幾何学的形態構造は、プローブが調査中の流体と相互作用した時刻に関する情報を含むことができる。
【００６７】
走査の幾何学的形態構造は、プローブが検出された時刻に関する情報を含むことができる。
【００６８】
使用中には、リモートセンシング装置を走査の幾何学的形態構造に応じて動作させて、調査中の流体から測定データを取得することができ、これらの測定データから所望の流体特性を決定することができる。
【００６９】
走査の幾何学的形態構造は、走査の幾何学的形態のルックアップ・テーブル（早見表）から選択することができる。
【００７０】
走査の幾何学的形態構造は、アルゴリズムを用いて計算することができる。
【００７１】
走査の幾何学的形態構造は、複数の入力に応じて、あるいは複数の入力を考慮して調整することができる。
【００７２】
例えば、走査の幾何学的形態構造は、変化する基準のフレームを考慮して調整することができる。リモートセンシング装置は、意図した測定体積空間に対して位置または向きが変化する場所に設置することができる。走査の幾何学的形態構造は、これらの変化を補償して不変の測定体積空間を維持するように調整することができる。
【００７３】
走査の幾何学的形態は、単純な走査の幾何学的形態を含むことができる。
【００７４】
単純な走査の幾何学的形態は、プローブ体積空間の集合体として定義することができ、この集合体内では、当該視線に沿って測定値が取得される視線の方向が単一の自由度でしか変化しないように、測定値が取得される。例えば、これらの視線どうしは、アジマス角のみが異なり、あるいは仰角のみが異なる。
【００７５】
走査の幾何学的形態が単純な走査の幾何学的形態を含む好適例では、単純な走査の幾何学的形態が：距離高度指示（ＲＨＩ）；平面図表示（ＰＰＩ：Position Plan Indicator）；速度アジマス表示（ＶＡＤ：Velocity Azimuth Display）；及び円弧形走査のうちの１つを含むことができる。
【００７６】
距離高度指示（ＲＨＩ）は、仰角の異なる視線を伴う。平面図表示（ＰＰＩ）は、アジマス角の異なる視線を伴う。
【００７７】
速度アジマス表示（ＶＡＤ）及び円弧形走査は、特定目的用のＰＰＩの特殊な場合と考えることができる。ＶＡＤは、３６０度のアジマス全体にわたるビームの変化を伴うのに対し、円弧形走査（扇形走査とも称する）は、３６０度未満にわたるビームアジマスの変化を伴う。その結果、測定体積空間は装置上方の領域に制約されない。比較のために、ＶＡＤ及び円弧形走査は一般に疎であり、少数のプローブ体積空間を用いて風速及び風向を測定するのに対し、ＲＨＩ及びＰＰＩの走査は一般に密であり、ずっと多数の視線及びプローブ体積空間を用いて、大きな表面積全体にわたる流体の流れを可視化してマッピングする。
【００７８】
走査の幾何学的形態は、複合的な走査の幾何学的形態を含むことができる。
【００７９】
複合的な走査の幾何学的形態は、単純な走査の幾何学的形態よりも制約が少ない。例えば、視線どうしは、アジマス角及び仰角の両方のように２つ以上の自由度で異なることができる。
【００８０】
走査の幾何学的形態は、複合型の走査の幾何学的形態を含むことができる。
【００８１】
こうした走査の幾何学的形態から、プローブ体積空間の部分集合を選択することができる。これらの部分集合の各々は、特定目的用に有効な走査の幾何学的形態を構成することもできる。複合型の走査の幾何学的形態は、複数の要素の組合せを含むことができ、これらの要素自体が走査の幾何学的形態である。各要素はプローブ体積空間の一意的な集合を含むことができ、あるいは個別のプローブ体積空間を２つ以上の要素に含めることができる。
【００８２】
走査の幾何学的形態は単一のプローブ体積空間を含むことができる。
【００８３】
走査の幾何学的形態は複数のプローブ体積空間を含むことができる。
【００８４】
リモートセンシング装置を動作させることは、プローブ信号（「放射プローブ信号」）を放射することを含むことができる。
【００８５】
放射プローブ信号はレーザー信号を含むことができる。
【００８６】
放射プローブ信号は音声信号を含むことができる。
【００８７】
放射プローブ信号は音響信号を含むことができる。
【００８８】
一部の好適例では、放射プローブ信号が連続信号を含むことができる。例えば、リモートセンシング装置は、放射プローブ信号を連続波または連続ビームの形式で放射するように構成することができる。
【００８９】
他の好適例では、放射プローブ信号が不連続信号を含むことができる。例えば、放射プローブ信号は一連のパルスを含むことができる。
【００９０】
上記方法は、戻りプローブ信号を検出するステップを含むことができ、戻りプローブ信号は、リモートセンシング装置または他のリモートセンシング装置によって放射されたプローブ信号が変化したものである。
【００９１】
上記方法は、取得したデータから１つ以上の出力値を提供するステップを含むことができ、この出力値は調査中の流体の流体特性を示す。この１つ以上の出力値は、関心事の測定値を含むことができ、あるいは関心事の測定値から決定することができる。
【００９２】
上記方法は、単純な走査の幾何学的形態要素の各々によって取得したデータから出力値を提供するステップを含むことができ、これらの単純な走査の幾何学的形態要素は複合型の走査の幾何学的形態から抽出することができる。
【００９３】
上記流体データは流体速度データを含むことができる。
【００９４】
一部の好適例では、上記流体データが風の速度データを含むことができる。
【００９５】
一部の好適例では、上記流体データが水流の速度データを含むことができる。
【００９６】
上記流体データは流速データを含むことができる。
【００９７】
上記流体データは風速データを含むことができる。
【００９８】
上記流体データは水流の流速データを含むことができる。
【００９９】
上記流体データは流体の方向データを含むことができる。
【０１００】
一部の好適例では、上記流体データが風向データを含むことができる。
【０１０１】
一部の好適例では、上記流体データが水流の方向データを含むことができる。
【０１０２】
上記流体データは流体乱流データを含むことができる。
【０１０３】
一部の好適例では、上記流体データが乱気流データを含むことができる。
【０１０４】
一部の好適例では、上記流体データが水流の乱流データを含むことができる。
【０１０５】
特定の好適例では、上記方法は、放射プローブ信号の後方散乱、例えば反射した放射プローブ信号の後方散乱を測定することによって上記出力値を決定することができ−空気の場合には−放射プローブ信号は、風によって運ばれる塵埃、水滴、汚染物質、花粉、食塩結晶、等のような自然のエアロゾル（煙霧質）によって反射され−水の場合には−放射プローブ信号は、水柱中の粒子によって反射される。上記放射は後方散乱して検出され、エアロゾル粒子の動きによって与えられるプローブ信号の周波数のドップラーシフト（ドップラー偏移）を分析して、流体運動の特性を推測する。ドップラーシフトは、プローブ信号が指向される視線（ＬｏＳ）と整列した流速ベクトルの成分、即ち放射方向の速度に比例するので、こうした流速ベクトル成分は、種々の視線に沿った放射方向速度の観測により推測することができる。例えば、計算において用いる各プローブ体積空間に同じ速度ベクトルが見られる場合には、各プローブ体積空間内に見られる速度ベクトル（例えば、風速ベクトルまたは水流の流速ベクトル）は、観測により推測することができ、このことは均一な流れの条件下の場合である。
【０１０６】
上記流体データは、流体の組成に関するデータを含むことができる。
【０１０７】
例えば、検出した戻りプローブ信号の強度は、相互作用が発生した位置における粒子の濃度を示すことができる。分極効果も時として観測される。
【０１０８】
上記出力値は、制御システム及び／または遠隔位置に伝達することができる。
【０１０９】
上記方法は、エネルギー受信装置の位置、例えばヨー（yaw）角を調整するステップを含むことができる。
【０１１０】
第２の態様によれば、リモートセンシングにおいて用いられる方法が提供され、この方法は：
リモートセンシングの測定キャンペーン中に、当該リモートセンシングの測定キャンペーンを実現するに当たり用いるリモートセンシング装置の測定形態を調整するステップを含み、
リモートセンシング装置の測定形態の調整は、測定キャンペーン中に事前に取得した測定データに基づいて、リモートセンシング装置の走査の幾何学的形態構造を変更することを含む。
【０１１１】
第１の態様に関して上述した特徴は、第２の態様において、あるいは他のあらゆる態様において、分離して、あるいは組み合わせて実現することができる。
【０１１２】
第３の態様によれば、リモートセンシングにおいて用いられるシステムが提供され、このシステムは：
リモートセンシング装置の測定キャンペーン中に事前に取得した測定データを受信するように構成されたコントローラを具え、このコントローラは、受信した測定データから、リモートセンシング装置の測定形態における調整を決定するように構成され、リモートセンシング装置の測定形態における調整は、リモートセンシング装置の走査の幾何学的形態構造の変更を含み、
上記コントローラは、上記測定キャンペーン中にリモートセンシング装置を調整するに当たり用いる、リモートセンシング装置の走査の幾何学的形態構造の変更を示す出力を提供するように構成されている。
【０１１３】
上記システムは、上記出力に基づいて、測定キャンペーン中にリモートセンシング装置の測定形態を調整するように構成することができる。
【０１１４】
上記コントローラは、測定キャンペーン中にリモートセンシング装置によって事前に取得した測定データに基づいて、リモートセンシング装置の走査の幾何学的形態構造を調整するように構成することができる。
【０１１５】
上記システムは、測定キャンペーン中にリモートセンシング装置によって事前に取得した測定データに基づいて、リモートセンシング装置の測定形態を調整するように構成することができる。
【０１１６】
上記システムは、リモートセンシングの測定キャンペーン中に、他のリモートセンシング装置、あるいは他のセンシング装置または測定装置によって事前に取得した測定データに基づいて、リモートセンシング装置の測定形態を調整するように構成することができる。
【０１１７】
上記システムは、リモートセンシング装置の走査の幾何学的形態構造を書き換えることによって、リモートセンシング装置の測定形態を調整するように構成することができる。
【０１１８】
上記コントローラは、リモートセンシング装置の走査の幾何学的形態構造を書き換えることによって、リモートセンシング装置の走査の幾何学的形態構造を調整するように構成することができる。
【０１１９】
他の好適例では、上記システムは、リモートセンシング装置用の走査の幾何学的形態構造を、当該リモートセンシング装置用に事前に定めた複数の幾何学的形態構造から選択することによって、リモートセンシング装置の測定形態を調整するように構成することができる。
【０１２０】
上記コントローラは、リモートセンシング装置用の走査の幾何学的形態構造を、当該リモートセンシング装置用に事前に定めた複数の幾何学的形態構造から選択することによって、リモートセンシング装置の測定形態を調整するように構成することができる。
【０１２１】
上記システムはリモートセンシング装置を具えることができる。
【０１２２】
このリモートセンシング装置は、ライダー・センシング装置を具えることができる。ライダー・センシング装置は、広い面積にわたる複雑な流体の流れの測定を可能にすることが有益である。ＲＳＤの一例はライダー（光による検知と測距）装置であり、レーザー信号の形式でプローブを放射するように動作可能である。使用中には、ライダー・プローブが大気中で後方散乱し得る。レーザー信号をライダー装置によって検出すると、後方散乱により生じるライダー・プローブの変化が測定される。プローブ体積空間（この場合、相互作用及び後方散乱が発生する大気中の体積空間）の特性は、プローブが変化した様子から測定することができる。例えば、レーザー放射の周波数は、後方散乱を生じさせた物質が大気中でライダー装置の位置に対して運ばれる動きによってドップラーシフトされ得る。従って、ドップラーシフトを測定することによって、この動きを推測することができる。
【０１２３】
他の好適例では、リモートセンシング装置がソーダー・センシング装置を具えることができる。ＲＳＤの他の例はソーダー（Sodar：sonic detection and ranging：音波による検知と測距）装置であり、音響信号の形式でプローブを放射するように動作可能である。使用中には、ソーダー・プローブは空気中の温度不均一性によって反射され得る。音響信号が反射により相互作用する大気の特徴物質は、流体、この場合は風の動きによって運ばれる。
【０１２４】
他の好適例では、リモートセンシング装置が音響ドップラー流向流速計（ＡＤＣＰ：Acoustic Doppler Current Profiler）を具えることができる。ＲＳＤの他の例は音響ドップラー流向流速計（ＡＤＣＰ）であり、その名の通り、一般に水中用途で水流の特性を測定するために用いられる。使用中には、ＡＤＣＰ装置は音響プローブを放射し、この音響プローブは流れと相互作用することによって変化し、この相互作用は、例えば、反射した音響信号の周波数にドップラーシフトを与え、このドップラーシフトは、プローブ信号が放射されて反射した方向に沿った流速ベクトルの成分に比例する。従って、周囲の流速ベクトルは、当該方向に沿ってこうした相互作用が観測された複数の方向に検出される流速ベクトルの成分を見ることによって推測することができる。
【０１２５】
上記システムは１つ以上のエネルギー受信装置を具えることができる。リモートセンシング装置は、１つ以上のエネルギー受信装置に動作的に関連することができる。
【０１２６】
上記エネルギー受信装置は風力エネルギー受信装置を具えることができる。例えば、上記エネルギー受信装置は風力タービンを具えることができる。
【０１２７】
上記エネルギー受信装置は潮汐エネルギー受信装置を具えることができる。例えば、上記エネルギー受信装置は潮汐タービンを具えることができる。
【０１２８】
リモートセンシング装置はエネルギー受信装置上に配置することができる。その代わりに、あるいはそれに加えて、リモートセンシング装置は遠隔位置に配置することができる。リモートセンシング装置は地表面上に配置することができる。リモートセンシング装置は、プラットフォーム上、例えば沖合のプラットフォーム上等に配置することができる。リモートセンシング装置は他のエネルギー受信装置上に配置することができる。
【０１２９】
リモートセンシング装置は、環境条件に関するデータを取得するように構成することができる。
【０１３０】
リモートセンシング装置は、大気条件に関するデータを取得するように構成することができる。
【０１３１】
特定の好適例では、リモートセンシング装置は風況に関するデータを取得するように構成することができる。
【０１３２】
他の好適例では、リモートセンシング装置は潮汐条件に関するデータを取得するように構成することができる。
【０１３３】
リモートセンシング装置はプローブ信号（「放射プローブ信号」）を放射するように構成することができる。
【０１３４】
放射プローブ信号はレーザー信号を含むことができる。
【０１３５】
放射プローブ信号は音声信号を含むことができる。
【０１３６】
放射プローブ信号は音響信号を含むことができる。
【０１３７】
一部の好適例では、放射プローブ信号が連続信号を含むことができる。例えば、リモートセンシング装置は、放射プローブ信号を連続波または連続ビームの形式で放射するように構成することができる。
【０１３８】
放射プローブ信号の性質の変化（例えばレーザー信号、音波信号、等）に加えて、放射プローブ信号は多数の異なる形態をとることもできる。例えば、いくつかの例では、ＲＳＤがプローブを連続信号または連続ビームの形式で放射し、この形式は連続放射または連続波（ＣＷ：Continuous Wave）として知られている。使用中には、連続放射またはＣＷ装置は、一般に、当該装置の感度に距離に応じた変化を与えて、測定値を取得する特定範囲を選択して、ＲＳＤからプローブ体積空間までの距離の必要な区別を行い、このプローブ体積空間で調査中の流体との相互作用が発生する。他の例では、ＲＳＤはプローブを一連のパルス、例えば一連のレーザーパルスまたは一連の音波パルスの形式で放射する。使用中には、プローブ体積空間までの距離を、放射の瞬時から相互作用が発生した瞬時を経てＲＳＤによる検出の瞬時までの飛行時間（ＴｏＦ：time of flight）を観測することによって測定する。
【０１３９】
他の好適例では、放射プローブ信号が不連続信号を含むことができる。例えば、放射プローブ信号は一連のパルスを含むことができる。
【０１４０】
リモートセンシング装置は、当該リモートセンシング装置の感度に距離に応じた変化を与えて、放射プローブ信号用の特定の距離範囲を選択することができる。
【０１４１】
リモートセンシング装置は、当該リモートセンシング装置または他のリモートセンシング装置によって放射されて変化したプローブ信号（「戻りプローブ信号」）を検出するように構成することができる。
【０１４２】
上記システムは制御システムを具えることができる。
【０１４３】
この制御システムは、エネルギー受信装置の位置、例えばヨー角を調整するように構成することができる。
【０１４４】
上記システムは通信装置を具えることができる。
【０１４５】
この通信装置は、あらゆる適切な形態及び構成のものとすることができる。
【０１４６】
この通信装置は、上記出力値を上記制御システムへ送信するように構成することができる。
【０１４７】
それに加えて、あるいはその代わりに、この通信装置は上記出力値を遠隔位置へ送信するように構成することができる。
【０１４８】
第４の態様によれば、リモートセンシングにおいて用いられる方法が提供され、この方法は：
リモートセンシング装置が第１時間間隔において第１の走査の幾何学的形態構造で取得した測定データを受信するステップであって、第１の走査の幾何学的形態構造は複数の走査の幾何学的形態を含むステップと；
受信した測定データから、複数の走査の幾何学的形態のうちの１つを決定するステップであって、決定した走査の幾何学的形態は、第１時間間隔における改善された、あるいは最適な走査の幾何学的形態を示すステップと；
第１時間間隔における改善された、あるいは最適な走査の幾何学的形態による関心事の測定値を示す出力を提供するステップと
を含む。
【０１４９】
上記方法は、リモートセンシングの測定キャンペーンを実現するに当たり用いられるリモートセンシング装置の動作を改善する方法を含むことができる。
【０１５０】
上記方法は、リモートセンシングの測定キャンペーンを実現する方法を含むことができる。
【０１５１】
上記方法は、取得したデータ全体にわたる複数のパス（処理過程）を含むことができ、第１のパスは、複合型の走査の幾何学的形態の所定の反復回における最適な走査の幾何学的形態の選択に関連する一般的条件を決定するためのパスであり、第２のパスは、取得したデータから関心事の測定値を導出するためのパスである。
【０１５２】
第１の走査の幾何学的形態構造における複数の走査の幾何学的形態は、複数の区別される有効な個別の走査の幾何学的形態を含むことができ、これら複数の走査の幾何学的形態がまとまって複合型の走査の幾何学的形態を形成する。
【０１５３】
上記方法は：
リモートセンシング装置を用意して、このリモートセンシング装置を第１の走査の幾何学的形態構造に設定するステップ；
第１時間間隔において、リモートセンシング装置を第１の走査の幾何学的形態構造で動作させて、走査の幾何学的形態毎の第１の測定データ集合を取得するステップ；
取得したデータ集合から、選択した最適な走査の幾何学的形態による、第１時間間隔における関心事の測定値を決定するステップ；
第２時間間隔において、リモートセンシング装置を動作させて、走査の幾何学的形態毎の第２の測定データ集合を取得するステップ；
取得した測定データ集合から、上記複数の走査の幾何学的形態のうちの１つを決定するステップであって、決定した走査の幾何学的形態は、第２時間間隔における改善された、あるいは最適な走査の幾何学的形態を示すステップ；
のうちの少なくとも１つを含むことができる。
【０１５４】
上記方法は、取得した第２の測定データ集合の全体にわたる複数のパスを含むことができ、第１のパスは、改善された、あるいは最適な走査の幾何学的形態の選択に関連する一般的条件を決定するパスであり、第２のパスは、取得した第２の測定データ集合から関心事の測定値を導出するパスである。
【０１５５】
この態様の好適例は、測定キャンペーン中にリモートセンシング装置の走査の幾何学的形態構造を受動的に調整することによって、最適な、あるいは少なくとも改善されたリモートセンシングの測定キャンペーンを、変化する条件下で実現することを可能にすることが有益であり、この調整は、複数の時間ステップにわたって取得したデータの処理中に、上記第１の走査の幾何学的形態を含む利用可能な複数の走査の幾何学的形態から最適な走査の幾何学的形態を選択することによって行い、このことは、一般に特定のリモートセンシング装置のデフォルト設定である単一の走査の幾何学的形態構造しか提供しない、あるいは、測定キャンペーンを開始する前に設定され、この測定キャンペーンの最初の目的に基づく１つの幾何学的形態構造しか提供しない従来のＲＳＤとは対照的であり、このため、従来のＲＳＤは、測定キャンペーン中の風況の変化を参照して最適な走査の幾何学的形態を選択することができない。
【０１５６】
上記方法は、第１時間間隔において、リモートセンシング装置を第１の幾何学的形態構造で動作させて、走査の幾何学的形態毎の第１の測定データ集合を取得するステップを含むことができる。
【０１５７】
上記方法は、取得したデータ集合から、選択した走査の幾何学的形態による、第１時間間隔における関心事の測定値を決定するステップを含むことができる。
【０１５８】
上記方法は、第２時間間隔において、リモートセンシング装置を動作させて、複数の走査の幾何学的形態毎の第２の測定データ集合を取得するステップを含むことができる。
【０１５９】
上記方法は、取得した測定データ集合から、複数の走査の幾何学的形態のうちの１つを決定するステップを含むことができ、決定した走査の幾何学的形態は、第２時間間隔における改善された、あるいは最適な走査の幾何学的形態を示す。
【０１６０】
上記方法は、取得したデータ集合から、選択した走査の幾何学的形態による、第２時間間隔における関心事の測定値を決定するステップを含むことができる。
【０１６１】
このプロセスは、後続する一連の時間ステップの全部にわたって反復することができる。
【０１６２】
第１の走査の幾何学的形態構造は、複合型の走査の幾何学的形態を含むことができる。特定の好適例では、第１の走査の幾何学的形態構造が固定の複合型の走査の幾何学的形態を含む。
【０１６３】
第１の走査の幾何学的形態構造は、複数のプローブ体積空間を含むことができる。従って、プローブ体積空間の異なる組合せが、第１の走査の幾何学的形態を含む複数の走査の幾何学的形態を含むことができる。
【０１６４】
上記の改善された、あるいは最適な走査の幾何学的形態は、単一のプローブ体積空間を含むことができる。しかし、特定の好適例では、上記の改善された、あるいは最適な走査の幾何学的形態が複数のプローブ体積空間を含む。
【０１６５】
一旦、キャンペーン中の所定時刻における測定の環境が定まると、後続するデータ分析中に、プローブ体積空間の適切な部分集合を、任意の所定時刻における最適な走査の幾何学的形態として、複合型の走査の幾何学的形態において利用可能なプローブ体積空間から選択する。
【０１６６】
上記のプローブ体積空間の部分集合は、任意の所定時刻において上記の一般的条件（例えば、一般的な風況または一般的な水の状態）を参照して実現した複合型の走査の幾何学的形態に含まれる走査の幾何学的形態要素のルックアップ・テーブルから選択することができる。
【０１６７】
上記のプローブ体積空間の部分集合は、観測した状態（例えば、観測した風況または観測した水の状態）に関係するアルゴリズムを用いて、これらの環境下で最適な部分集合に寄与するプローブ体積空間の選択に合わせて決定することができる。
【０１６８】
以上に概説したように、上記方法は、取得したデータ全体にわたる複数のパスを含むことができる。
【０１６９】
第１のパスは、複合型の走査の幾何学的形態の所定の反復回における、複合型の走査の幾何学的形態からの最適な走査の幾何学的形態の選択に関連する一般的条件を決定することができる。
【０１７０】
第２のパスは、最適であるものと識別されたプローブ体積空間の部分集合を含む、選択した走査の幾何学的形態を用いて、取得したデータから関心事の測定値を導出することができる。
【０１７１】
第１の走査の幾何学的形態構造は、速度アジマス表示走査（ＶＡＤ走査）の動作を含むことができる。
【０１７２】
一部の好適では、第１の走査の幾何学的形態構造が速度アジマス表示走査（ＶＡＤ走査）の動作を含むことができ、この動作では、プローブ体積空間の数が、ＶＡＤ走査を実現するために最小限必要な数よりも大きい。
【０１７３】
従って、ＶＡＤ走査は複数の円弧形走査要素を含むことができる。こうして、ＶＡＤ走査は過剰に決定されたＶＡＤを規定することができる。これに対し、従来のＶＡＤ走査を用いる際には、風速を測定するために最小数のビーム方向を必要とし、複数の円弧形要素を実現することによって、より多数の視線に沿ってデータを取得することができ、これら複数の円弧形要素から、最適な円弧形走査要素または要素の部分集合、従って最適な走査の幾何学的形態構造を決定することができる。
【０１７４】
個別の円弧形走査を最適と考える理由は、次のものを含むがそれらに限定されない。風上方向の風況の測定値しか必要としない。装置に対するこの方向は、風向が変化するに連れて変化する。風力タービンはその風下への流れを遮る。このことは摂動を生じさせ、この摂動は、視線データから風のパラメータを推測することの基になる仮定に反し得る。任意の所定時刻において、利用可能な円弧形走査要素から個別の円弧形走査を選択し、これにより、この要素は上記の遮りにより生じる流れの摂動による影響を受けない。任意の所定時刻に、風上の円弧形走査要素が選択用に利用可能である。こうした円弧形走査要素は、視線データから風のパラメータを推測することの仮定に反する摂動による影響を受けない。
【０１７５】
リモートセンシング装置の走査の幾何学的形態構造は走査の幾何学的形態情報を含むことができ、走査の幾何学的形態情報は：
位置情報；
測定体積空間内のプローブ体積空間の位置に関する情報；
測定体積空間内のプローブ体積空間の分布に関する情報；
プローブ信号が放射される方向または視線に対するプローブ体積空間の向きに関する情報；
プローブ信号が検出される方向に対するプローブ体積空間の向きに関する情報；
プローブ信号が検出される方向に対するプローブ体積空間のアジマス角に関する情報；
プローブ体積空間の仰角に関する情報；
のうちの少なくとも１つを含む。
【０１７６】
走査の幾何学的形態構造は走査の幾何学的形態情報を含むことができ、走査の幾何学的形態情報は：
タイミング情報；
プローブが放射される時刻に関する情報；
プローブが調査中の流体と相互作用する時刻に関する情報；
プローブが検出された時刻に関する情報；
のうちの少なくとも１つを含む。
【０１７７】
第４の態様の他の特徴は以下に説明するが、これらの特徴は他のあらゆる態様でも見出すことができることは明らかである。
【０１７８】
リモートセンシング装置の走査の幾何学的形態構造が、リモートセンシング装置が放射するプローブ信号の特性を決める。
【０１７９】
走査の幾何学的形態構造は位置情報を含むことができる。
【０１８０】
走査の幾何学的形態構造は、測定体積空間内のプローブ体積空間の位置に関する情報を含むことができる。
【０１８１】
走査の幾何学的形態構造は、測定体積空間内のプローブ体積空間の分布に関する情報を含むことができる。
【０１８２】
走査の幾何学的形態構造は、プローブ信号が放射される方向または視線に対するプローブ体積空間の向きに関する情報を含むことができる。
【０１８３】
走査の幾何学的形態構造は、プローブ信号を検出した方向に対するプローブ体積空間の向きに関する情報を含むことができる。
【０１８４】
プローブ体積空間の向きに関する情報は、アジマス角及び／または仰角情報を含むことができる。
【０１８５】
走査の幾何学的形態構造はタイミング情報を含むことができる。
【０１８６】
走査の幾何学的形態構造は、プローブを放射した時刻に関する情報を含むことができる。
【０１８７】
走査の幾何学的形態構造は、プローブが調査中の流体と相互作用した時刻に関する情報を含むことができる。
【０１８８】
走査の幾何学的形態構造は、プローブを検出した時刻に関する情報を含むことができる。
【０１８９】
使用中には、リモートセンシング装置は走査の幾何学的形態構造により動作して、調査中の流体から測定データを取得することができ、これらの測定データから流体の特性を測定することができる。
【０１９０】
走査の幾何学的形態構造は、走査の幾何学的形態のルックアップ・テーブルから選択することができる。
【０１９１】
走査の幾何学的形態構造はアルゴリズムを用いて計算することができる。
【０１９２】
走査の幾何学的形態構造は、複数の入力に応じて、あるいは複数の入力を考慮して調整することができる。
【０１９３】
例えば、走査の幾何学的形態構造は、変化する基準のフレームを考慮して調整することができる。リモートセンシング装置は、意図した測定体積空間に対して位置または向きが変化する場所に設置することができる。走査の幾何学的形態構造は、これらの変化を補償して不変の測定体積空間を維持するように調整することができる。
【０１９４】
走査の幾何学的形態は、単純な走査の幾何学的形態を含むことができる。
【０１９５】
単純な走査の幾何学的形態は、プローブ体積空間の集合体として定義することができ、この集合体内では、当該視線に沿って測定値が取得される視線の方向が単一の自由度でしか変化しないように測定値が取得される。例えば、これらの視線どうしは、アジマス角のみが異なり、あるいは仰角のみが異なる。
【０１９６】
走査の幾何学的形態が単純な走査の幾何学的形態を含む好適例では、単純な走査の幾何学的形態は：距離高度指示（ＲＨＩ）；平面図表示（ＰＰＩ）；速度アジマス表示（ＶＡＤ）；及び円弧形走査のうちの１つを含むことができる。
【０１９７】
距離高度指示（ＲＨＩ）は、仰角の異なる視線を伴う。平面図表示（ＰＰＩ）は、アジマス角の異なる視線を伴う。
【０１９８】
速度アジマス表示（ＶＡＤ）及び円弧形走査は、特定目的用のＰＰＩの特殊な場合と考えることができる。ＶＡＤは、３６０度のアジマス全体にわたるビームの変化を伴うのに対し、円弧形走査（扇形走査とも称する）は、３６０度未満にわたるビームアジマスの変化を伴う。その結果、円弧形走査に関連する測定体積空間は装置上方の領域に制約されない。比較のために、ＶＡＤ及び円弧形走査は一般に粗であり、少数のプローブ体積空間を用いて風速及び風向を測定するのに対し、ＲＨＩ及びＰＰＩの走査は一般に密であり、ずっと多数の視線及びプローブ体積空間を用いて、大きな表面積全体にわたる流体の流れを可視化してマッピングする。
【０１９９】
走査の幾何学的形態は、複合的な走査の幾何学的形態を含むことができる。
【０２００】
複合的な走査の幾何学的形態は、単純な走査の幾何学的形態よりも制約が少ない。例えば、視線どうしは、アジマス角及び仰角の両方のように２つ以上の自由度で異なることができる。
【０２０１】
走査の幾何学的形態は、複合型の走査の幾何学的形態を含むことができる。
【０２０２】
こうした走査の幾何学的形態から、プローブ体積空間の部分集合を選択することができる。これらの部分集合の各々は、特定目的用に有効な走査の幾何学的形態を構成することもできる。複合型の走査の幾何学的形態は、複数の要素の組合せを含むことができ、これらの要素自体が走査の幾何学的形態である。各要素はプローブ体積空間の一意的な集合を含むことができ、あるいは個別のプローブ体積空間を２つ以上の要素に含めることができる。
【０２０３】
走査の幾何学的形態は単一のプローブ体積空間を含むことができる。
【０２０４】
走査の幾何学的形態は複数のプローブ体積空間を含むことができる。
【０２０５】
リモートセンシング装置を動作させることは、プローブ信号（「放射プローブ信号」）を放射することを含むことができる。
【０２０６】
放射プローブ信号はレーザー信号を含むことができる。
【０２０７】
放射プローブ信号は音声信号を含むことができる。
【０２０８】
放射プローブ信号は音響信号を含むことができる。
【０２０９】
一部の好適例では、放射プローブ信号が連続信号を含むことができる。例えば、リモートセンシング装置は、放射プローブ信号を連続波または連続ビームの形式で放射するように構成することができる。
【０２１０】
他の好適例では、放射プローブ信号が不連続信号を含むことができる。例えば、放射プローブ信号は一連のパルスを含むことができる。
【０２１１】
上記方法は、戻りプローブ信号を検出するステップを含むことができ、戻りプローブ信号は、上記リモートセンシング装置または他のリモートセンシング装置によって放射されたプローブ信号が変化したものである。
【０２１２】
上記方法は、取得したデータから１つ以上の出力値を提供するステップを含むことができ、この出力値は調査中の流体の流体特性を示す。この１つ以上の出力値は、関心事の測定値を含むことができ、あるいは関心事の測定値から決定することができる。
【０２１３】
上記方法は、単純な走査の幾何学的形態要素の各々によって取得したデータから出力値を提供するステップを含むことができ、これらの単純な走査の幾何学的形態要素は、複合型の走査の幾何学的形態から抽出することができる。
【０２１４】
上記流体データは流体速度データを含むことができる。
【０２１５】
一部の好適例では、上記流体データが風の速度データを含むことができる。
【０２１６】
一部の好適例では、上記流体データが水流の速度データを含むことができる。
【０２１７】
上記流体データは流速データを含むことができる。
【０２１８】
上記流体データは風速データを含むことができる。
【０２１９】
上記流体データは水流の流速データを含むことができる。
【０２２０】
上記流体データは流体の方向データを含むことができる。
【０２２１】
一部の好適例では、上記流体データが風向データを含むことができる。
【０２２２】
一部の好適例では、上記流体データが水流の方向データを含むことができる。
【０２２３】
上記流体データは流体乱流データを含むことができる。
【０２２４】
一部の好適例では、上記流体データが乱気流データを含むことができる。
【０２２５】
一部の好適例では、上記流体データが水流の乱流データを含むことができる。
【０２２６】
特定の好適例では、上記方法は、放射プローブ信号の後方散乱、例えば反射した放射プローブ信号の後方散乱を測定することによって上記出力値を決定することができ−空気の場合には−放射プローブ信号は、風によって運ばれる自然のエアロゾル、例えば塵埃、水滴、汚染物質、花粉、食塩結晶、等によって反射され−水の場合には−放射プローブ信号は、水柱中の粒子によって反射される。上記放射は後方散乱して検出され、エアロゾル粒子の動きによって与えられるプローブ信号の周波数のドップラーシフトを分析して、流体運動の特性を推測する。ドップラーシフトは、プローブ信号が指向される視線（ＬｏＳ）と整列した流速ベクトルの成分、即ち放射方向の速度に比例するので、こうした流速ベクトル成分は、種々の視線に沿った放射方向速度の観測により推測することができる。例えば、計算において用いる各プローブ体積空間に同じ速度ベクトルが見られる場合には、各プローブ体積空間内に見られる速度ベクトル（例えば、風速ベクトルまたは水流の流速ベクトル）は、観測により推測することができ、このことは均一な流れの条件下の場合である。
【０２２７】
上記流体データは、流体の組成に関するデータを含むことができる。
【０２２８】
例えば、検出した戻りプローブ信号の強度は、相互作用が発生した位置における粒子の濃度を示すことができる。分極効果も時として観測される。
【０２２９】
上記出力値は、制御システム及び／または遠隔位置に伝達することができる。
【０２３０】
上記方法は、エネルギー受信装置の位置、例えばヨー角を調整するステップを含むことができる。
【０２３１】
第５の態様によれば、リモートセンシングにおいて用いられるシステムが提供され、このシステムは：
第１時間間隔においてリモートセンシング装置によって第１の走査の幾何学的形態構造で取得した測定データ集合から、複数の走査の幾何学的形態のうちの１つを決定するように構成されたコントローラを具え、決定した走査の幾何学的形態は、第１時間間隔における改善された、あるいは最適な走査の幾何学的形態を示す。
【０２３２】
このシステムは、リモートセンシングの測定キャンペーンを実現するように動作可能なリモートセンシング装置を具えることができる。
【０２３３】
第１の走査の幾何学的形態構造における複数の走査の幾何学的形態は、区別される有効な個別の走査の幾何学的形態を含むことができる。
【０２３４】
リモートセンシング装置は、第１時間間隔において第１の走査の幾何学的形態構造で動作して、走査の幾何学的形態毎の第１のデータ集合を取得するように動作可能である。
【０２３５】
上記コントローラは、取得したデータ集合から、選択した走査の幾何学的形態による、第１時間間隔における関心事の測定値を決定するように構成することができる。
【０２３６】
リモートセンシング装置は、第２時間間隔における複数の走査の幾何学的形態毎の第２の測定データ集合を取得するように動作可能にすることができる。
【０２３７】
上記コントローラは、第２時間間隔において取得したデータ集合から、複数の走査の幾何学的形態のうちの１つを決定するように構成することができ、決定した走査の幾何学的形態は、改善された、あるいは最適な走査の幾何学的形態を示す。
【０２３８】
リモートセンシング装置は、ライダー・センシング装置を具えることができる。ライダーセンシング装置は、広い面積にわたる複雑な流体の流れの測定を可能にすることが有益である。ＲＳＤの一例はライダー（光による検知と測距）装置であり、レーザー信号の形式のプローブを放射するように動作可能である。使用中には、ライダー・プローブは大気中で後方散乱し得る。レーザー信号をライダー装置によって検出すると、後方散乱により生じるライダー・プローブの変化が測定される。プローブ体積空間（この場合、相互作用及び後方散乱が発生する大気中の体積空間）の特性は、プローブが変化した様子から測定することができる。例えば、レーザー放射の周波数は、後方散乱を生じさせた物質が大気中でライダー装置の位置に対して運ばれる動きによってドップラーシフトされ得る。従って、ドップラーシフトを測定することによって、この動きを推測することができる。
【０２３９】
他の好適例では、リモートセンシング装置がソーダー・センシング装置を具えることができる。ＲＳＤの他の例はソーダー（音波による検知と測距）装置であり、音響信号の形式でプローブを放射するように動作可能である。使用中には、ソーダー・プローブは空気中の温度不均一性によって反射され得る。音響信号が反射により相互作用する大気の特徴物質は、流体、この場合は風の動きによって運ばれる。
【０２４０】
他の好適例では、リモートセンシング装置が音響ドップラー流向流速計（ＡＤＣＰ）を具えることができる。ＲＳＤの他の例は音響ドップラー流向流速計（ＡＤＣＰ）であり、その名の通り、一般に水中用途で水流の特性を測定するために用いられる。使用中には、ＡＤＣＰ装置は音響プローブを放射し、この音響プローブは流れと相互作用することによって変化し、この相互作用は、例えば、反射した音響信号の周波数にドップラーシフトを与え、このドップラーシフトは、プローブ信号が放射されて反射した方向に沿った流速ベクトルの成分に比例する。従って、周囲の流速ベクトルは、当該方向に沿ってこうした相互作用の複数の事例が観測された複数の方向に検出される流速ベクトルの成分を見ることによって推測することができる。
【０２４１】
上記システムは１つ以上のエネルギー受信装置を具えることができる。リモートセンシング装置は、１つ以上のエネルギー受信装置に動作的に関連することができる。
【０２４２】
上記エネルギー受信装置は風力エネルギー受信装置を具えることができる。例えば、上記エネルギー受信装置は風力タービンを具えることができる。
【０２４３】
上記エネルギー受信装置は潮汐エネルギー受信装置を具えることができる。例えば、上記エネルギー受信装置は潮汐タービンを具えることができる。
【０２４４】
リモートセンシング装置はエネルギー受信装置上に配置することができる。その代わりに、あるいはそれに加えて、リモートセンシング装置は遠隔位置に配置することができる。リモートセンシング装置は地表面上に配置することができる。リモートセンシング装置は、プラットフォーム上、例えば沖合のプラットフォーム上等に配置することができる。リモートセンシング装置は他のエネルギー受信装置上に配置することができる。
【０２４５】
リモートセンシング装置は、環境条件に関するデータを取得するように構成することができる。
【０２４６】
リモートセンシング装置は、大気条件に関するデータを取得するように構成することができる。
【０２４７】
特定の好適例では、リモートセンシング装置は風況に関するデータを取得するように構成することができる。
【０２４８】
他の好適例では、リモートセンシング装置は潮汐条件に関するデータを取得するように構成することができる。
【０２４９】
リモートセンシング装置はプローブ信号（「放射プローブ信号」）を放射するように構成することができる。
【０２５０】
放射プローブ信号はレーザー信号を含むことができる。
【０２５１】
放射プローブ信号は音声信号を含むことができる。
【０２５２】
放射プローブ信号は音響信号を含むことができる。
【０２５３】
一部の好適例では、放射プローブ信号が連続信号を含むことができる。例えば、リモートセンシング装置は、放射プローブ信号を連続波または連続ビームの形式で放射するように構成することができる。
【０２５４】
放射プローブ信号（例えばレーザー信号、音波信号、等）の性質の変化に加えて、放射プローブ信号は多数の異なる形態をとることもできる。例えば、いくつかの例では、ＲＳＤがプローブを連続信号または連続ビームの形式で放射し、この形式は連続放射または連続波（ＣＷ）として知られている。使用中には、連続放射またはＣＷ装置は、一般に、当該装置の感度に距離に応じた変化を与えて、測定値を取得する特定範囲を選択して、ＲＳＤからプローブ体積空間までの距離の必要な区別を行い、このプローブ体積空間で調査中の流体との相互作用が発生する。他の例では、ＲＳＤはプローブを一連のパルス、例えば一連のレーザーパルスまたは一連の音波パルスの形式で放射する。使用中には、プローブ体積空間までの距離を、放射の瞬時から相互作用が発生した瞬時を経てＲＳＤによる検出の瞬時までの飛行時間（ＴｏＦ）を観測することによって測定する。
【０２５５】
他の好適例では、放射プローブ信号が不連続信号を含むことができる。例えば、放射プローブ信号は一連のパルスを含むことができる。
【０２５６】
リモートセンシング装置は、当該リモートセンシング装置の感度に距離に応じた変化を与えて、放射プローブ信号用の特定の距離範囲を選択することができる。
【０２５７】
リモートセンシング装置は、当該リモートセンシング装置または他のリモートセンシング装置によって放射されて変化したプローブ信号（「戻りプローブ信号」）を検出するように構成することができる。
【０２５８】
上記システムは制御システムを具えることができる。
【０２５９】
この制御システムは、エネルギー受信装置の位置、例えばヨー角を調整するように構成することができる。
【０２６０】
上記システムは通信装置を具えることができる。
【０２６１】
この通信装置は、あらゆる適切な形態及び構成のものとすることができる。
【０２６２】
この通信装置は、上記出力値を上記制御システムへ送信するように構成することができる。
【０２６３】
それに加えて、あるいはその代わりに、この通信装置は上記出力値を遠隔位置へ送信するように構成することができる。
【０２６４】
他の態様によれば、前記の態様のうちの１つ以上を実現するように構成された処理システムが提供される。
【０２６５】
この処理システムは、少なくとも１つのプロセッサを具えることができる。この処理システムは、少なくとも１つのデータ記憶装置またはメモリを具えることができ、あるいは少なくとも１つのデータ記憶装置またはメモリにアクセスするように構成することができる。このデータ記憶装置またはメモリは、上記少なくとも１つのプロセッサの動作を記述した動作命令またはプログラムを含むことができ、あるいはこうした動作命令またはプログラムを受信するように構成することができる。上記少なくとも１つのプロセッサは、こうした動作命令またはプログラムを処理及び実行するように構成することができる。
【０２６６】
上記少なくとも１つのデータ記憶装置は、リーダー（読取り装置）、ドライブ（駆動装置）またはアクセスされるように構成された他の手段、光記憶装置、あるいはＣＤ（compact disc：コンパクトディスク）またはＤＶＤ（digital versatile disc：デジタル多用途ディスク）のようなディスク、フラッシュドライブ、ＳＤ（secure digital：セキュアデジタル）デバイス、ＤＲＡＭのような１つ以上のメモリチップ、ネットワーク・アタッチト・ドライブ（ＮＡＤ：network attached drive）、クラウド記憶装置、テープまたは磁気ディスクまたはハードドライブのような磁気記憶装置、等を含むことができ、及び／またはこれらを含む。
【０２６７】
上記処理システムは、ネットワークまたはインタフェース・モジュールを具えることができる。このネットワークまたはインタフェース・モジュールは、ネットワーク接続部またはデータキャリアに接続することができ、あるいは接続可能であり、このネットワーク接続部またはデータキャリアは、有線または無線のネットワーク接続部またはデータキャリア、例えばデータケーブル、電力線データキャリア、Ｗｉ−Ｆｉ（ワイファイ）、ブルートゥース（登録商標）、ジグビー（Zigbee：登録商標）、インターネット接続部または他の同様な接続部を含むことができる。こうしたネットワーク・インタフェースは、ルーター、モデム、ゲートウェイ、等を具えることができる。上記のシステムまたは処理システムは、音声信号を、ネットワークまたはインタフェース・モジュール経由で、例えばインターネット、イントラネット、ネットワークまたはクラウド上で送信するか、さもなければ提供することができる。
【０２６８】
上記処理システムは、１つの処理装置または複数の処理装置を具えることができる。各処理装置は、少なくともプロセッサを具えることができ、任意で、メモリまたはデータ記憶装置、及び／または、ネットワークまたはインタフェース・モジュールを具えることができる。上記複数の処理装置は、分散型、あるいはサーバー／クライアント・ベースの処理システムを形成すること、具えること、あるいはこうした処理システムで構成することができる。
【０２６９】
他の態様によれば、コンピュータプログラム製品が提供され、このコンピュータプログラム製品は、適切な処理システムによって処理されると、この処理システムを前記の態様のうちの１つ以上を実現するように設定するように構成されている。
【０２７０】
上記コンピュータプログラムは、キャリア媒体上で提供することができ、あるいはキャリア媒体内に含めることができる。このキャリア媒体は、一時的にも非一時的にもすることができる。このキャリア媒体は、接触型にも非接触型にもすることができる。このキャリア媒体は、電磁信号または電気信号のような信号を含むことができる。このキャリア媒体は、ディスク、メモリカード、メモリ、等のような物理的媒体を含むことができる。
【０２７１】
他の態様によれば、キャリア媒体が提供され、このキャリア媒体は信号を含み、この信号は、適切な処理システムによって処理されると、前記態様のうちの１つ以上をこの処理システムに実現させる。
【０２７２】
一部の好適例は、コンピュータ可読な命令を有するコンピュータプログラムを用いて特定機能を実現することができ、これらの命令を実行して当該好適例の方法を実行可能であることは、通常の当業者にとって明らかである。このコンピュータプログラムの機能は、ハードウェアで（例えば、ＣＰＵを用いて、あるいは１つ以上のＡＳＩＣ（application specific integrated circuit：特定用途向け集積回路）によって）実現することができ、あるいはハードウェアとソフトウェアとの混合によって実現することができる。
【０２７３】
ここでは特定点数の装置を説明してきたが、これらの複数点数の装置のうちの１つ以上は、単一の装置、処理リソース、または他の構成要素によって提供することができ、あるいは、単一の装置によって提供される機能を、２つ以上の装置または他の構成要素を組み合わせて提供することができる。例えば、上記処理システムの１つ以上の機能を、パーソナルコンピュータ等のような単一の処理装置によって実行することができ、あるいは、各機能のうちの１つ以上を複数の処理装置による分散型の様式で実行することができる。
【０２７４】
以上に規定した特徴、あるいはあらゆる特定の実施形態に関して以下に説明する特徴のいずれも、単独でも規定した他のあらゆるものとの組合せでも利用することができることは明らかである。
【０２７５】
以下、本発明のこれら及び他の態様を、ほんの一例として、添付する次の図面を参照しながら説明する。
【図面の簡単な説明】
【０２７６】
【図１】本発明の一実施形態による方法を表すフローチャートである。
【図２】本発明による方法を実現するためのリモートセンシングシステムを示す図である。
【図３】図２に示すリモートセンシングシステムの平面図であり、第１の走査の幾何学的形態構造による。
【図４】図１に示すリモートセンシングシステムの平面図であり、第２の走査の幾何学的形態構造による。
【図５】本発明による方法を実現するための他のリモートセンシングシステムを示す図である。
【図６】図５に示すリモートセンシングシステムの平面図であり、第１の走査の幾何学的形態構造による。
【図７】図５に示すリモートセンシングシステムの平面図であり、第２の走査の幾何学的形態構造による。
【図８】本発明による方法を実現するための他のリモートセンシングシステムを示す図である。
【図９】図８に示すリモートセンシングシステムの平面図であり、第１の走査の幾何学的形態構造による。
【図１０】図８に示すリモートセンシングシステムの平面図であり、第２の走査の幾何学的形態構造による。
【図１１】本発明の他の実施形態による方法を表すフローチャートである。
【図１２】図１１の方法を実現するためのリモートセンシングシステムを示す図である。
【図１３】図１２に示すリモートセンシングシステムの平面図であり、第１の走査の幾何学的形態構造による。
【図１４】図１２に示すリモートセンシングシステムの平面図であり、第２の走査の幾何学的形態構造による。
【図１５】図１１の方法を実現するための他のリモートセンシングシステムを示す図である。
【図１６】図１５に示すリモートセンシングシステムの平面図であり、第１の走査の幾何学的形態構造による。
【図１７】図１５に示すリモートセンシングシステムの平面図であり、第２の走査の幾何学的形態構造による。
【図１８】図１１の方法を実現するための他のリモートセンシングシステムを示す図である。
【図１９】図１８に示すリモートセンシングシステムの平面図であり、第１の走査の幾何学的形態構造による。
【図２０】図１８に示すリモートセンシングシステムの平面図であり、第２の走査の幾何学的形態構造による。
【図２１】図１の方法、図２〜４のシステム、図５〜７のシステム、図８〜１０のシステム、図１１の方法、図１２〜１４のシステム、図１５〜１７のシステム、または図１８〜２０のシステムにおいて用いられる好適なリモートセンシング装置の概略図である。
【図２２】流速の測定を説明する座標系を示す図である。
【図２３】異なる走査の幾何学的形態の例を示す図である。
【図２４】収束型の走査の幾何学的形態を説明する概略図である。
【発明を実施するための形態】
【０２７７】
図面の詳細な説明
添付した図面のうち図１をまず参照すれば、本発明の一実施形態による方法を表すフローチャートが示されている。
【０２７８】
図１に示すように、この方法の第１ステップは、第１の走査の幾何学的形態構造を実現して第１の測定データ集合を取得することを含む。次に、第１の測定データ集合を処理して、改善された、あるいは最適な走査の幾何学的形態構造を決定する。次に、リモートセンシング装置の走査の幾何学的形態構造を変更することによって、リモートセンシング装置の測定形態を適応させる。次に、この情報をフィードバックして、リモートセンシング装置は変更された走査の幾何学的形態構造で動作する。
【０２７９】
本発明の実施形態は、測定キャンペーン中にリモートセンシング装置の測定形態を能動的に調整することによって、最適な、あるいは少なくとも改善されたリモートセンシングの測定キャンペーンを、変化する条件下で実現することを可能にすることが有益である。このことは、測定キャンペーン中に、リモートセンシング装置の走査の幾何学的形態構造を、同じ測定キャンペーン中に事前に取得した測定データに基づいて適応させることによって行うことができ、測定キャンペーン中に単一の走査の幾何学的形態構造しか提供しない従来のＲＳＤとは対照的であり、この単一の走査の幾何学的形態構造は、一般に、特定のリモートセンシング装置のデフォルト設定であり、あるいは測定キャンペーンの最初の目的に基づくものであり、測定キャンペーンを開始する前に作成した一般的条件の映し出しである。本発明の実施形態は、測定キャンペーン中に、リモートセンシング装置の設定、特にその走査の幾何学的形態の構造を、測定値を取得する環境及び条件に合うように適応させることができ、こうした環境及び条件は時間と共に大幅に、かつ反復的に変動し得る。これにより、本発明の好適例は、さもなければ従来のシステム及び技術において生じ得る不正確さを軽減または解消し、こうした不正確さは、得られた測定値が目的に適合しないか、あるいは所定の測定キャンペーンの一部分にしか関連しない期間より生じる測定バイアスに起因し、こうした期間は大幅であることが多い。
【０２８０】
ここで添付した図面のうち図２を参照すれば、図１に示す方法を実現するためのシステム１０が示されている。
【０２８１】
図２に示すように、図示する実施形態では、システム１０が風力タービン１２を含む風力タービンシステムを具え、風力タービン１２は、タワー１４、ナセル１６、及びハブ１８を有し、ハブ１８は放射状に広がる複数のブレード２０を有する。ハブ１８は駆動シャフト（図示せず）を介して発電機２２に動作的に結合されている。使用中には、ブレード２０に当たる風Ｗの運動エネルギーがハブ１８を駆動してナセル１６に対して回転させ、この運動エネルギーは発電機２２に伝達されて、発電機２２において電気に変換される。
【０２８２】
システム１０はリモートセンシング装置２４をさらに具え、図示する実施形態では、リモートセンシング装置２４が、風力タービン１２のタワー１４の周りに設けられたプラットフォーム２６上に配置されている。しかし、リモートセンシング装置２４は、遠隔位置のような他の適切な位置、ナセル１６上、地表面上、あるいは他の１つ以上のタービン（図示せず）上に設けることができることが認識される。
【０２８３】
リモートセンシング装置２４はライダー装置を具え、このライダー装置は、光ビームの形式のプローブ３０を全体の測定体積空間Ｖ内の関心事の領域３２に伝達するための光源−図示する実施形態ではレーザー源−を有する。リモートセンシング装置２４は、受信機３４をさらに具え、あるいは受信機３４に動作的に関連し、図示する実施形態では受信機３４が光学アンテナであり、反射したプローブ３０を検出する。ここで添付した図面のうち図３及び４も参照すれば、リモートセンシング装置２４はプローブ３０を複数の異なる視線に沿って放射することができ、リモートセンシング装置２４によって放射することができる利用可能な視線は、図３中に破線３６で表す。図３に示すように、リモートセンシング装置２４は、最初は第１の走査の幾何学的形態構造に設定されて、この幾何学的形態構造で動作して第１の測定データ集合を取得し、第１の走査の幾何学的形態構造は視線３６の第１部分集合３８を含む。
【０２８４】
第１のデータ集合の取得に続いて、改善された、あるいは最適な第２の走査の幾何学的形態構造を、取得した第１のデータ集合から決定する。最適な走査の幾何学的形態構造の決定は、測定キャンペーンの特定目的に依存することができる。例えば、向かい風のデータを必要とすることがあり、１つのデータ取得期間から次のデータ取得期間までに風向が変化する際に、走査の幾何学的形態は常に風上を向くように調整する。目標体積空間に向かう方向は、プラットフォーム、例えば風力タービンのナセルが回転する間に変化し得る。この場合、走査の幾何学的形態を、必要に応じて視線に指向するように調整する。図示する実施形態では、第２の走査の幾何学的形態構造は、あり得る視線３６の第２部分集合４０によって形成される。次に、リモートセンシング装置２４を、図２に示す第１の走査の幾何学的形態構造から図４に示す第２の走査の幾何学的形態構造に再構成する。この新たな走査の幾何学的形態は、測定した一般的条件に応じてルックアップ・テーブルから選択することができ、あるいは、アジマス角及び仰角を計算して必要に応じて設定ファイルに書き込むことができる。
【０２８５】
次に、リモートセンシング装置２４を第２の走査の幾何学的形態構造で動作させて、関心事の領域３０に関係する第２のデータ集合を取得する。本実施形態では、リモートセンシング装置２４の最適な、あるいは改善された走査の幾何学的形態構造の決定は、測定キャンペーン中に、より具体的には各データ取得中に実行する。しかし、最適な、あるいは改善された走査の幾何学的形態構造の決定は、その代わりに、測定キャンペーン中であるが、選択した回数だけデータを取得して初めて、あるいは決定した調整のレベルが選択した閾値を超えた場合に実行することができることが認識される。
【０２８６】
ここで添付した図面のうち図５を参照すれば、図１に示す方法を実現するための他のシステム１１０が示されている。
【０２８７】
図５に示すように、図示する実施形態では、システム１１０が風力タービン１１２を含む風力タービンシステムを具え、風力タービン１１２は、タワー１１４、ナセル１１６、及びハブ１１８を有し、ハブ１１８は放射状に広がる複数のブレード１２０を有する。ハブ１１８はシャフト（図示せず）を介して発電機１２２に動作的に結合されている。使用中には、ブレード１２０に当たる風Ｗの運動エネルギーがハブ１１８を駆動してナセル１１６に対して回転させ、この運動エネルギーは発電機１２２に伝達されて、発電機１２２において電気に変換される。
【０２８８】
システム１１０はリモートセンシング装置１２４をさらに具え、図示する実施形態では、リモートセンシング装置１２４が、風力タービン１１２のタワー１１４の周りに設けられたプラットフォーム１２６上に配置されている。しかし、リモートセンシング装置１２４は、遠隔位置のような他の適切な位置、ナセル１１６上、地表面上、あるいは他の１つ以上のタービン（図示せず）上に設けることができることが認識される。
【０２８９】
本実施形態では、リモートセンシング装置１２４がソーダー装置を具え、このソーダー装置は、ビーム形式のプローブ１３０を全体の測定体積空間Ｖ’内の関心事の領域１３２に伝達するための音響源１２８を有する。リモートセンシング装置１２４は、受信機１３４をさらに具え、あるいは受信機１３４に動作的に関連し、図示する実施形態では受信機１３４が音響アンテナであり、反射したプローブ１３０を検出する。
【０２９０】
システム１１０の動作はシステム１０の動作と同様であり、添付した図面のうち図６及び７を参照しながら説明する。
【０２９１】
図６及び７に示すように、リモートセンシング装置１２４は、プローブ１３０を複数の異なる視線に沿って放射することができ、リモートセンシング装置１２４によって放射することができる利用可能な視線は、図６中に破線１３６で表す。図６に示すように、リモートセンシング装置１２４は、最初は第１の走査の幾何学的形態構造に設定されて、この幾何学的形態構造で動作して第１の測定データ集合を取得し、第１の走査の幾何学的形態構造は視線１３６の第１部分集合１３８を含む。第１のデータ集合の取得に続いて、改善された、あるいは最適な第２の走査の幾何学的形態構造を、取得した第１のデータ集合から決定する。最適な走査の幾何学的形態構造の決定は、測定キャンペーンの特定目的に依存することができる。例えば、向かい風のデータを必要とすることがあり、１つのデータ取得期間から次のデータ取得期間までに風向が変化する際に、走査の幾何学的形態を常に風上を向くように調整する。目標体積空間に向かう方向は、プラットフォーム、例えば風力タービンのナセルが回転する間に変化し得る。この場合、走査の幾何学的形態を、必要に応じて視線に指向するように調整する。図示する実施形態では、第２の走査の幾何学的形態構造は、あり得る視線１３６の第２部分集合１４０によって形成される。次に、リモートセンシング装置１２４を、図６に示す第１の走査の幾何学的形態構造から図７に示す第２の走査の幾何学的形態構造に再構成する。この新たな走査の幾何学的形態は、測定した一般的条件に応じてルックアップ・テーブルから選択することができ、あるいは、アジマス角及び仰角を計算して必要に応じて設定ファイルに書き込むことができる。次に、リモートセンシング装置１２４を第２の走査の幾何学的形態構造で動作させて、関心事の領域１３０に関係する第２のデータ集合を取得する。システム１０におけるように、システム１１０では、リモートセンシング装置１２４の最適な、あるいは改善された走査の幾何学的形態構造の決定は、測定キャンペーン中に、より具体的には各データ取得中に実行する。しかし、最適な、あるいは改善された走査の幾何学的形態構造の決定は、その代わりに、測定キャンペーン中であるが、選択した回数だけデータを取得して初めて、あるいは決定した調整のレベルが選択した閾値を超えた場合に実行することができることが認識される。
【０２９２】
ここで添付した図面のうち図８を参照すれば、図１に示す方法を実現するための他のシステム２１０が示されている。
【０２９３】
図８に示すように、図示する実施形態では、システム２１０が風力タービン２１２を含む風力タービンシステムを具え、風力タービン２１２は、タワー２１４、ナセル２１６、及びハブ２１８を有し、ハブ２１８は放射状に広がる複数のブレード２２０を有する。ハブ２１８はシャフト（図示せず）を介して発電機２２２に動作的に結合されている。使用中には、ブレード２２０に当たる潮流または水流のような流体の流れＴの運動エネルギーがハブ２１８を駆動してナセル２１６に対して回転させ、この運動エネルギーは発電機２２２に伝達されて、発電機２２２において電気に変換される。
【０２９４】
システム２１０はリモートセンシング装置２２４をさらに具え、図示する実施形態では、リモートセンシング装置２２４が、風力タービン２１２のタワー２１４の周りに設けられたプラットフォーム２２６上に配置されている。しかし、リモートセンシング装置２２４は、遠隔位置のような他の適切な位置、ナセル２１６上、地表面上、あるいは他の１つ以上のタービン（図示せず）上に設けることができることが認識される。
【０２９５】
本実施形態では、リモートセンシング装置２２４がＡＤＣＰ装置を具え、このＡＤＣＰ装置は、音響プローブ２３０を全体の測定体積空間Ｖ”内の関心事の領域２３２に伝達するための音響源２２８を有する。リモートセンシング装置２２４は、受信機２３４をさらに具え、あるいは受信機２３４に動作的に関連し、図示する実施形態では受信機２３４が音響アンテナであり、反射したプローブ２３０を検出する。
【０２９６】
システム２１０の動作はシステム１０、１１０の動作と同様であり、添付した図面のうち図９及び１０を参照しながら説明する。
【０２９７】
図９及び１０に示すように、リモートセンシング装置２２４は、プローブ２３０を複数の異なる視線に沿って放射することができ、リモートセンシング装置２２４によって放射することができる利用可能な視線は、図９中に破線２３６で表す。図９に示すように、リモートセンシング装置２２４は、最初は第１の走査の幾何学的形態構造に設定されて、この幾何学的形態構造で動作して第１の測定データ集合を取得し、第１の走査の幾何学的形態構造は視線２３６の第１部分集合２３８を含む。第１のデータ集合の取得に続いて、改善された、あるいは最適な第２の走査の幾何学的形態構造を、取得した第１のデータ集合から決定する。最適な走査の幾何学的形態構造の決定は、測定キャンペーンの特定目的に依存することができる。例えば、上流のデータを必要とすることがあり、１つのデータ取得期間から次のデータ取得期間までに流体の流れの向きが変化する際に、走査の幾何学的形態は常に上流を向くように調整する。目標体積空間に向かう方向は、プラットフォーム、例えば流体タービンのナセルが回転する間に変化し得る。この場合、走査の幾何学的形態を、必要に応じて視線に指向するように調整する。図示する実施形態では、第２の走査の幾何学的形態構造は、あり得る視線２３６の第２部分集合２４０によって形成される。次に、リモートセンシング装置２２４を、図６に示す第１の走査の幾何学的形態構造から図７に示す第２の走査の幾何学的形態構造に再構成する。この新たな走査の幾何学的形態は、測定した一般的条件に応じてルックアップ・テーブルから選択することができ、あるいは、アジマス角及び仰角を計算して必要に応じて設定ファイルに書き込むことができる。次に、リモートセンシング装置２２４を第２の走査の幾何学的形態構造で動作させて、関心事の領域２３０に関係する第２のデータ集合を取得する。システム１０、１１０におけるように、システム２１０では、リモートセンシング装置２２４の最適な、あるいは改善された走査の幾何学的形態構造の決定は、測定キャンペーン中に、より具体的には各データ取得中に実行する。しかし、最適な、あるいは改善された走査の幾何学的形態構造の決定は、その代わりに、測定キャンペーン中であるが、選択した回数だけデータを取得して初めて、あるいは決定した調整のレベルが選択した閾値を超えた場合に実行することができることが認識される。
【０２９８】
ここで添付した図面のうち図１１を参照すれば、本発明の他の実施形態による方法を表すフローチャートが示されている。
【０２９９】
図１１に示すように、この方法の第１ステップは、複数の走査の幾何学的形態要素を含む走査の幾何学的形態構造を実現することを含む。次に、この方法は、受信した測定データから、複数の走査の幾何学的形態のうちの１つを決定するステップを含むことができ、決定した走査の幾何学的形態は、第１時間間隔における改善された、あるいは最適な走査の幾何学的形態を示す。次に、第１時間間隔における改善された、あるいは最適な走査の幾何学的形態を提供する。このプロセスは時間間隔毎に反復する。
【０３００】
本実施形態は、複数の時間ステップにわたって取得したデータの処理中に、第１の走査の幾何学的形態を含む利用可能な複数の走査の幾何学的形態から最適な走査の幾何学的形態を選択することにより、測定キャンペーン中にリモートセンシング装置の走査の幾何学的形態構造を受動的に調整することによって、最適な、あるいは少なくとも改善されたリモートセンシングの測定キャンペーンを、変化する条件下で実現することを可能にすることが有益であり；一般に特定のリモートセンシング装置のデフォルト設定である単一の走査の幾何学的形態構造しか提供しない、あるいは測定キャンペーンを開始する前に設定され、測定キャンペーンの初期の目的に基づく１つの幾何学的形態構造を提供し、このため、測定キャンペーン中の風況の変化を参照して最適な走査の幾何学的形態を選択することができない従来のＲＳＤとは対照的である。
【０３０１】
添付した図面のうち図１２は、図１１の方法を実現するためのシステム３１０を示す。
【０３０２】
システム３１０は、風力タービン２１２を含む風力タービンシステムを具え、風力タービン２１２は、タワー３１４、ナセル３１６、及びハブ３１８を有し、ハブ３１８は放射状に広がる複数のブレード３２０を有する。ハブ３１８は駆動シャフト（図示せず）を介して発電機３２２に動作的に結合されている。使用中には、ブレード３２０に当たる風Ｗ”の運動エネルギーがハブ３１８を駆動してナセル３１６に対して回転させ、この運動エネルギーは発電機３２２に伝達されて、発電機３２２において電気に変換される。
【０３０３】
システム３１０はリモートセンシング装置３２４をさらに具え、図示する実施形態では、リモートセンシング装置３２４が、風力タービン３１２のタワー３１４の周りに設けられたプラットフォーム３２６上に配置されている。しかし、リモートセンシング装置３２４は、遠隔位置のような他の適切な位置、ナセル３１６上、地表面上、あるいは他の１つ以上のタービン（図示せず）上に設けることができることが認識される。
【０３０４】
リモートセンシング装置３２４はライダー装置を具え、このライダー装置は、光ビームの形式のプローブ３３０を全体の測定体積空間Ｖ”’内の関心事の領域３３２に伝達するための光源−図示する実施形態ではレーザー源−を有する。リモートセンシング装置３２４は、受信機３３４をさらに具え、あるいは受信機３３４に動作的に関連し、図示する実施形態では受信機３３４が光学アンテナであり、反射したプローブ３３０を検出する。
【０３０５】
ここで添付した図面のうち図１３及び１４も参照すれば、システム１０の場合のように、システム３１０では、リモートセンシング装置３２４がプローブ３３０を複数の異なる視線に沿って放射することができ、リモートセンシング装置３２４によって放射することができる利用可能な視線は、図１３中に破線３３６で表す。リモートセンシング装置３２４は、ある走査の幾何学的形態構造に設定されて、この幾何学的形態構造で動作して、第１時間間隔ｔ１における第１の測定データ集合、及び第２時間間隔における第２の測定データ集合を取得し、このことを必要に応じた回数だけ反復してｎ番目の時間間隔ｔｎにおける第ｎの測定データ集合を取得する。
【０３０６】
本実施形態では、走査の幾何学的形態構造が複合型の走査の幾何学的形態を含み、この複合型の走査の幾何学的形態は、複数の走査の幾何学的形態を包含し、図示する実施形態では、第１〜第ｎのデータ集合の各々が、関心事の領域３３２の全体についてのデータを含む。
【０３０７】
データ取得に続いて、各データ集合を分析する。各データ集合における第１パスは、上記複数の走査の幾何学的形態のうちのどの走査の幾何学的形態が、所定の時間間隔ｔ１...ｔｎの各々における改善された、あるいは最適な走査の幾何学的形態を示すかを決定する。図１３では、時間間隔ｔ１におけるデータ取得後に決定した最適な、あるいは改善された走査の幾何学的形態構造を部分集合３３８によって表すのに対し、時間間隔ｔ２におけるデータ取得後に決定した最適な、あるいは改善された走査の幾何学的形態構造は部分集合３４０によって表す。一旦、こうしたことを決定すると、各データ集合における第２パスは、選択した最適な走査の幾何学的形態の部分集合による、所定時間間隔ｔ１, ｔ２, ...ｔｎにおける関心事の領域３２２に関係する１つ以上の関心事の測定値を決定する。
【０３０８】
本実施形態では、リモートセンシング装置３２４の最適な、あるいは改善された走査の幾何学的形態構造の決定を、第１実施形態における各データ取得間ではなく、データ取得後に実行する。
【０３０９】
添付した図面のうち図１５は、図１１による方法を実現するための他のシステム４１０を示す。
【０３１０】
システム４１０は、風力タービン４１２を含む風力タービンシステムを具え、風力タービン４１２は、タワー４１４、ナセル４１６、及びハブ４１８を有し、ハブ４１８は放射状に広がる複数のブレード４２０を有する。ハブ４１８は駆動シャフト（図示せず）を介して発電機４２２に動作的に結合されている。使用中には、ブレード４２０に当たる風Ｗ””の運動エネルギーがハブ４１８を駆動してナセル４１６に対して回転させ、この運動エネルギーは発電機４２２に伝達されて、発電機４２２において電気に変換される。
【０３１１】
システム４１０はリモートセンシング装置４２４をさらに具え、図示する実施形態では、リモートセンシング装置４２４が、風力タービン４１２のタワー４１４の周りに設けられたプラットフォーム４２６上に配置されている。しかし、リモートセンシング装置４２４は、遠隔位置のような他の適切な位置、ナセル４１６上、地表面上、あるいは他の１つ以上のタービン（図示せず）上に設けることができることが認識される。
【０３１２】
本実施形態では、リモートセンシング装置４２４がソーダー装置を具え、このソーダー装置は、ビーム形式のプローブ４３０を全体の測定体積空間Ｖ””内の関心事の領域４３２に伝達するための音響源４２８を有する。リモートセンシング装置４２４は、受信機４３４をさらに具え、あるいは受信機４３４に動作的に関連し、図示する実施形態では受信機１３４が音響アンテナであり、反射したプローブ４３０を検出する。
【０３１３】
ここで添付した図面のうち図１６及び１７も参照すれば、システム３１０の場合のように、システム４１０では、リモートセンシング装置４２４が、プローブ４３０を複数の異なる視線に沿って放射することができ、リモートセンシング装置４２４によって放射することができる利用可能な視線は、図１６中に破線４３６で表す。リモートセンシング装置４２４は、第１の走査の幾何学的形態構造に設定されて、この幾何学的形態構造で動作して、第１時間間隔ｔ１における第１の測定データ集合、及び第２時間間隔ｔ２における第２の測定データ集合を取得し、このことを必要に応じた回数だけ反復してｎ番目の時間間隔ｔｎにおける第ｎのデータを取得する。
【０３１４】
前の実施形態におけるように、走査の幾何学的形態構造は複合型の走査の幾何学的形態を含み、この複合型の走査の幾何学的形態は、複数の走査の幾何学的形態を包含し、図示する実施形態では、第１〜第ｎのデータ集合の各々が、関心事の領域４３２の全体についてのデータを含む。
【０３１５】
データ取得に続いて、各データ集合を分析する。各データ集合における第１パスは、上記複数の走査の幾何学的形態のうちのどの走査の幾何学的形態が、所定の時間間隔ｔ１...ｔｎの各々における改善された、あるいは最適な走査の幾何学的形態を示すかを決定する。図１６では、時間間隔ｔ１におけるデータ取得後に決定した最適な、あるいは改善された走査の幾何学的形態構造を部分集合４３８によって表すのに対し、時間間隔ｔ２におけるデータ取得後に決定した最適な、あるいは改善された走査の幾何学的形態構造は部分集合４４０によって表す。一旦、こうしたことを決定すると、各データ集合における第２パスは、選択した最適な走査の幾何学的形態の部分集合による、所定時間間隔ｔ１, ｔ２, ...ｔｎにおける関心事の領域４２２に関係する１つ以上の関心事の測定値を決定する。前の実施形態におけるように、リモートセンシング装置４２４の最適な、あるいは改善された走査の幾何学的形態構造の決定は、各データ取得間ではなく、データ取得後に実行する。
【０３１６】
ここで、添付した図面のうち図１８を参照すれば、図１１による方法を実現するための他のシステム５１０が示されている。
【０３１７】
図１８に示すように、図示する実施形態では、システム５１０は、潮汐タービン５１２を含む潮汐タービンシステムを具え、潮汐タービン５１２は、タワー５１４、ナセル５１６、及びハブ５１８を有し、ハブ５１８は放射状に広がる複数のブレード５２０を有する。ハブ５１８は駆動シャフト（図示せず）を介して発電機５２２に動作的に結合されている。使用中には、ブレード５２０に当たる潮流または水流のような流体の流れＴ’の運動エネルギーがハブ５１８を駆動してナセル５１６に対して回転させ、この運動エネルギーは発電機５２２に伝達されて、発電機５２２において電気に変換される。
【０３１８】
システム５１０はリモートセンシング装置５２４をさらに具え、図示する実施形態では、リモートセンシング装置５２４が、風力タービン５１２のタワー５１４の周りに設けられたプラットフォーム５２６上に配置されている。しかし、リモートセンシング装置５２４は、遠隔位置のような他の適切な位置、ナセル５１６上、地表面上、あるいは他の１つ以上のタービン（図示せず）上に設けることができることが認識される。
【０３１９】
本実施形態では、リモートセンシング装置５２４がＡＤＣＰ装置を具え、このＡＤＣＰ装置は、音響プローブ５３０を全体の測定体積空間Ｖ””内の関心事の領域５３２に伝達するための音響源５２８を有する。リモートセンシング装置５２４は、受信機５３４をさらに具え、あるいは受信機５３４に動作的に関連し、図示する実施形態では受信機５３４が音響アンテナであり、反射したプローブ５３０を検出する。
【０３２０】
ここで添付した図面のうち図１９及び２０を参照すれば、リモートセンシング装置５２４は、プローブ５３０を複数の異なる視線に沿って放射することができ、リモートセンシング装置５２４によって放射することができる利用可能な視線は、図１９中に破線５３６で表す。リモートセンシング装置５２４は、ある走査の幾何学的形態構造に設定されて、この幾何学的形態構造で動作して、第１時間間隔ｔ１における第１の測定データ集合、及び第２時間間隔における第２の測定データ集合を取得し、このことを必要に応じた回数だけ反復してｎ番目の時間間隔ｔｎにおける第ｎの測定データ集合を取得する。
【０３２１】
前の実施形態におけるように、走査の幾何学的形態構造は複合型の走査の幾何学的形態を含み、この複合型の走査の幾何学的形態は、複数の走査の幾何学的形態を包含し、図示する実施形態では、第１〜第ｎのデータ集合の各々が、関心事の領域５３２の全体についてのデータを含む。
【０３２２】
データ取得に続いて、各データ集合を分析する。各データ集合における第１パスは、上記複数の走査の幾何学的形態のうちのどの走査の幾何学的形態が、所定の時間間隔ｔ１...ｔｎの各々における改善された、あるいは最適な走査の幾何学的形態を示すかを決定する。図１９では、時間間隔ｔ１におけるデータ取得後に決定した最適な、あるいは改善された走査の幾何学的形態構造を部分集合５３８によって表すのに対し、時間間隔ｔ２におけるデータ取得後に決定した最適な、あるいは改善された走査の幾何学的形態構造は部分集合５４０によって表す。一旦、こうしたことを決定すると、各データ集合における第２パスは、選択した最適な走査の幾何学的形態の部分集合による、所定時間間隔ｔ１, ｔ２, ...ｔｎにおける関心事の領域５２２に関係する１つ以上の関心事の測定値を決定する。前の実施形態におけるように、リモートセンシング装置５２４の最適な、あるいは改善された走査の幾何学的形態構造の決定は、第１実施形態における各データ取得間ではなくデータ取得後に実行する。
【０３２３】
以下、以上の実施形態の各々において用いる動作及び分析技術に関するより詳細な事項を、図２１〜２４を参照しながら説明する。
【０３２４】
上述したように、リモートセンシング装置の走査の幾何学的形態構造を用いて測定データを取得し、これらの測定データから、調査中の流体の特性を測定することができ、走査の幾何学的形態構造は、とりわけ測定体積空間内のプローブ体積空間の位置及び分布（デカルト座標ｘ，ｙ，ｚで定義される）；プローブが放射され検出される方向の意味でのプローブ体積空間の向き（アジマス角及び仰角（θ, φ）で定義される）；及びプローブが放射される時刻、調査中の流体と相互作用する時刻、その後に検出される時刻（ｔ）を含むことができる。
【０３２５】
プローブ体積空間の位置に関しては、図示する実施形態では、その範囲は、風によって運ばれる塵埃、水滴、汚染物質、花粉、食塩結晶、等のような自然のエアロゾルによって反射される光放射の後方散乱を測定することによって決定される。この放射は後方散乱して検出され、上記エアロゾル粒子の動きによって与えられるレーザー放射の周波数のドップラーシフトを分析して流体運動の特性を推測する。それに加えて、検出した信号の強度は、相互作用が発生した位置におけるエアロゾル粒子の濃度を示すことができる。分極効果も時として観測される。流体との相互作用の種々の効果の検出は、流体の動きに加えて、流体の組成のような種々の特性の調査を可能にする。ドップラー効果は、レーザー放射が指向される視線（ＬｏＳ）と整列した流速ベクトルの成分、即ち放射方向の速度に比例する。従って、ドップラーシフトは、ＬｏＳと流体速度の方向との間の角度に依存する。従って、各プローブ体積空間内に見られる風速ベクトル間の関係を観測から推定することができれば、流速ベクトルの成分は、種々の視線に沿った放射方向の速度から推測することができる。例えば、最も単純な場合には、計算において用いる各プローブ体積空間が同じ風速ベクトルを見る場合に、この風速ベクトルを推測することができる。このことは一様な流れの条件下の場合である。
【０３２６】
プローブ体積空間の向きに関しては、この向きがプローブが放射される視線、及びプローブの放射方向の距離ｒのみによって決まり、この視線が既知である場合、（ｒ, θ, φ）を記述して（ｘ, ｙ, ｚ）は省略することができる、というのは、（プローブ体積空間の）位置及び向きは極座標で完全に記述されるからである。
【０３２７】
タイミング情報に関しては、この情報はプローブ体積空間の寸法及び特性を考慮するために必要になり得る。例えば、プローブ体積空間内ではプローブの応答が対称でないことがあり、流体の流れにおける時間的に非定常な特徴、及び／または、測定体積空間を通って運ばれるコヒーレントな流体構造が空間内に発生して観測される場合のような、時刻情報を用いて対処しなければならない効果を生じさせ得る。例えば、単一の視線または方向に沿って測定値を取得し、次に、この単一の視線または方向を、同時に実現される複数の視線に沿ってではなく一連の異なる向きの間で走査する結果として、各プローブ体積空間内で測定値が同時ではなく順次に発生する場合にも、タイミング情報は重要である。
【０３２８】
本明細書中に記載する実施形態は好適例に過ぎず、本発明の範囲から逸脱することなしに種々の変更を加えることができることは明らかである。
【０３２９】
例えば、図示する実施形態における走査の幾何学的形態は発散型の走査の幾何学的形態を含み、これにより、考慮中の複数の視線は単一のＲＳＤの位置から放射状に発散して、流速方向に対する複数の角度という要求を満足するが、走査の幾何学的形態は、図９に示すように多数の異なる形態をとることができ、そして、例えば、図１０に示すような収束型の走査の幾何学的形態を含むことができ、この走査の幾何学的形態では、異なる方向から１つの関心事の位置に収束する、複数のＲＳＤのそれぞれからの単一の視線を用いる。収束型のビームの場合には、各プローブ体積空間が見る流速ベクトル間の関係が簡略化される、というのは、これらのプローブ体積空間は同一位置に配置され、従って同じ流速ベクトルを見るからである。
【図１】
2019519777.tif 000003
【図２】
2019519777.tif 000004
【図３】
2019519777.tif 000005
【図４】
2019519777.tif 000006
【図５】
2019519777.tif 000007
【図６】
2019519777.tif 000008
【図７】
2019519777.tif 000009
【図８】
2019519777.tif 000010
【図９】
2019519777.tif 000011
【図１０】
2019519777.tif 000012
【図１１】
2019519777.tif 000013
【図１２】
2019519777.tif 000014
【図１３】
2019519777.tif 000015
【図１４】
2019519777.tif 000016
【図１５】
2019519777.tif 000017
【図１６】
2019519777.tif 000018
【図１７】
2019519777.tif 000019
【図１８】
2019519777.tif 000020
【図１９】
2019519777.tif 000021
【図２０】
2019519777.tif 000022
【図２１】
2019519777.tif 000023
【図２２】
2019519777.tif 000024
【図２３】
2019519777.tif 000025
【図２４】
2019519777.tif 000026
【国際調査報告】
2019519777.tif 000027
2019519777.tif 000028